(57)【要約】  第１正レンズ群と第２負レンズ群と３つ以上のレンズ群及び開口絞りで構成された後続レンズ群とからなり、第１レンズ群は、２枚以下のレンズ素子で構成され、ズーミングの際に光軸に沿って移動し、第１レンズ群と開口絞りとの間に３枚以上の負レンズ素子が配置され、条件：０．３０＜｜ＢＦＷ／ＹＷ｜＜１．３９及び１．１０＜ＳＤＴ／ＳＤＷ＜２．００（ＢＦＷ：広角端でのバックフォーカス、ＹＷ＝ｆＷ×ｔａｎ（ωＷ）、ｆＷ：広角端での全系の焦点距離、ωＷ：広角端での半画角、ＳＤＷ：広角端での最大開口絞り径、ＳＤＴ：望遠端での最大開口絞り径）を満足するズームレンズ系。
2014129187.tif 000002
【特許請求の範囲】
【請求項１】
物体側から像側へと順に、
正のパワーを有する第１レンズ群と、
負のパワーを有する第２レンズ群と、
３つ以上のレンズ群と開口絞りとで構成された後続レンズ群と
からなり、
前記第１レンズ群は、２枚以下のレンズ素子で構成され、撮像時の広角端から望遠端へのズーミングの際に光軸に沿って移動し、
前記第１レンズ群と前記開口絞りとの間に、３枚以上の負のパワーを有するレンズ素子が配置されており、
以下の条件（１）及び（２）を満足する、ズームレンズ系：
０．３０＜｜ＢＦＷ／ＹＷ｜＜１．３９  ・・・（１）
１．１０＜ＳＤＴ／ＳＤＷ＜２．００  ・・・（２）
ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である。
【請求項２】
第１レンズ群は、１枚のレンズ素子で構成される、請求項１に記載のズームレンズ系。
【請求項３】
後続レンズ群のうちいずれかのレンズ群又はいずれかのレンズ群の一部は、光軸に対して垂直方向に移動して像のぶれを光学的に補正する像ぶれ補正レンズ群である、請求項１に記載のズームレンズ系。
【請求項４】
像ぶれ補正レンズ群は、開口絞りよりも像側に配置されている、請求項３に記載のズームレンズ系。
【請求項５】
像ぶれ補正レンズ群は、１枚のレンズ素子で構成される、請求項３に記載のズームレンズ系。
【請求項６】
後続レンズ群のうち最物体側に配置されたレンズ群は、無限遠合焦状態から近接物体合焦状態へのフォーカシングの際に光軸に沿って移動するフォーカシングレンズ群である、請求項１に記載のズームレンズ系。
【請求項７】
後続レンズ群のうち２つ以上のレンズ群は、無限遠合焦状態から近接物体合焦状態へのフォーカシングの際に光軸に沿って移動するフォーカシングレンズ群である、請求項１に記載のズームレンズ系。
【請求項８】
後続レンズ群のうち開口絞りよりも像側に配置されたレンズ群は、無限遠合焦状態から近接物体合焦状態へのフォーカシングの際に光軸に沿って移動する少なくとも１つのフォーカシングレンズ群である、請求項１に記載のズームレンズ系。
【請求項９】
後続レンズ群のうち物体側から２番目に配置されたレンズ群は、開口絞りを有する、請求項１に記載のズームレンズ系。
【請求項１０】
撮像時の広角端から望遠端へのズーミングの際に光軸に沿って移動する全てのレンズ群は、広角端での位置よりも望遠端での位置が像面に対して物体側となるように移動する、請求項１に記載のズームレンズ系。
【請求項１１】
後続レンズ群のうち最像側に配置されたレンズ素子は、正のパワーを有する、請求項１に記載のズームレンズ系。
【請求項１２】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１３】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。【０００３】
特許文献１は、正負負正正の５群構成で、第３レンズ群と第４レンズ群との間に絞りが配置され、第３レンズ群が１枚の負レンズで構成され、第３レンズ群でフォーカシングを行うズームレンズを開示している。【０００４】
特許文献２は、正負正正負の５群構成で、広角端から望遠端へのズーミングの際に、第１レンズ群と第５レンズ群とは物体側へ移動し、第４レンズ群を光軸に対してほぼ垂直方向に移動させて像のぶれを補正するズームレンズを開示している。【０００５】
特許文献３は、正負負の３群と、１つ以上のレンズ群で構成される後続レンズ群とを備え、第３レンズ群でフォーカシングを行うズームレンズを開示している。
【先行技術文献】
【特許文献】
【０００６】
【特許文献１】特開２０１２−１６３９１４号公報
【特許文献２】特開平０７−３１８８６５号公報
【特許文献３】特開２０１２−１７３６５７号公報
【発明の概要】
【発明が解決しようとする課題】
【０００７】
本開示は、サイズが小さく軽量で、結像性能に優れたズームレンズ系を提供する。また本開示は、該ズームレンズ系を含む交換レンズ装置及びカメラシステムを提供する。
【課題を解決するための手段】
【０００８】
本開示におけるズームレンズ系は、
物体側から像側へと順に、
正のパワーを有する第１レンズ群と、
負のパワーを有する第２レンズ群と、
３つ以上のレンズ群と開口絞りとで構成された後続レンズ群と
からなり、
前記第１レンズ群は、２枚以下のレンズ素子で構成され、撮像時の広角端から望遠端へのズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足する
ことを特徴とする。【０００９】
本開示における交換レンズ装置は、
物体側から像側へと順に、
正のパワーを有する第１レンズ群と、
負のパワーを有する第２レンズ群と、
３つ以上のレンズ群と開口絞りとで構成された後続レンズ群と
からなり、
前記第１レンズ群は、２枚以下のレンズ素子で構成され、撮像時の広角端から望遠端へのズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。【００１０】
本開示におけるカメラシステムは、
物体側から像側へと順に、
正のパワーを有する第１レンズ群と、
負のパワーを有する第２レンズ群と、
３つ以上のレンズ群と開口絞りとで構成された後続レンズ群と
からなり、
前記第１レンズ群は、２枚以下のレンズ素子で構成され、撮像時の広角端から望遠端へのズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１１】
本開示におけるズームレンズ系は、サイズが小さく軽量で、結像性能に優れている。
【図面の簡単な説明】
【００１２】
【図１】図１は、実施の形態１（数値実施例１）に係るズームレンズ系の無限遠合焦状態を示すレンズ配置図である。
【図２】図２は、数値実施例１に係るズームレンズ系の無限遠合焦状態の縦収差図である。
【図３】図３は、数値実施例１に係るズームレンズ系の望遠端における、像ぶれ補正を行っていない基本状態及び像ぶれ補正状態での横収差図である。
【図４】図４は、実施の形態２（数値実施例２）に係るズームレンズ系の無限遠合焦状態を示すレンズ配置図である。
【図５】図５は、数値実施例２に係るズームレンズ系の無限遠合焦状態の縦収差図である。
【図６】図６は、数値実施例２に係るズームレンズ系の望遠端における、像ぶれ補正を行っていない基本状態及び像ぶれ補正状態での横収差図である。
【図７】図７は、実施の形態３（数値実施例３）に係るズームレンズ系の無限遠合焦状態を示すレンズ配置図である。
【図８】図８は、数値実施例３に係るズームレンズ系の無限遠合焦状態の縦収差図である。
【図９】図９は、数値実施例３に係るズームレンズ系の望遠端における、像ぶれ補正を行っていない基本状態及び像ぶれ補正状態での横収差図である。
【図１０】図１０は、実施の形態４（数値実施例４）に係るズームレンズ系の無限遠合焦状態を示すレンズ配置図である。
【図１１】図１１は、数値実施例４に係るズームレンズ系の無限遠合焦状態の縦収差図である。
【図１２】図１２は、数値実施例４に係るズームレンズ系の望遠端における、像ぶれ補正を行っていない基本状態及び像ぶれ補正状態での横収差図である。
【図１３】図１３は、実施の形態５（数値実施例５）に係るズームレンズ系の無限遠合焦状態を示すレンズ配置図である。
【図１４】図１４は、数値実施例５に係るズームレンズ系の無限遠合焦状態の縦収差図である。
【図１５】図１５は、数値実施例５に係るズームレンズ系の望遠端における、像ぶれ補正を行っていない基本状態及び像ぶれ補正状態での横収差図である。
【図１６】図１６は、実施の形態６（数値実施例６）に係るズームレンズ系の無限遠合焦状態を示すレンズ配置図である。
【図１７】図１７は、数値実施例６に係るズームレンズ系の無限遠合焦状態の縦収差図である。
【図１８】図１８は、数値実施例６に係るズームレンズ系の望遠端における、像ぶれ補正を行っていない基本状態及び像ぶれ補正状態での横収差図である。
【図１９】図１９は、実施の形態７に係るレンズ交換式デジタルカメラシステムの概略構成図である。
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を充分に理解するために添付図面および以下の説明を提供するのであって、これらによって請求の範囲に記載の主題を限定することを意図するものではない。
【００１５】
（実施の形態１〜６）
図１、４、７、１０、１３及び１６は、各々実施の形態１〜６に係るズームレンズ系のレンズ配置図であり、いずれも無限遠合焦状態にあるズームレンズ系を表している。
【００１６】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１７】
各図において、レンズ群に付された矢印は、無限遠合焦状態から近接物体合焦状態へのフォーカシングを表す。すなわち、フォーカシングレンズ群が無限遠合焦状態から近接物体合焦状態へのフォーカシングの際に移動する方向を示している。なお各図では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１８】
実施の形態１、２、５及び６に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第６レンズ群Ｇ６と、正のパワーを有する第７レンズ群Ｇ７とを備える。実施の形態１、２、５及び６に係るズームレンズ系では、ズーミングに際して、各レンズ群の間隔がいずれも変化するように、各レンズ群が光軸に沿った方向にそれぞれ移動する。実施の形態１、２、５及び６に係るズームレンズ系は、これら各レンズ群を所望のパワー配置にすることにより、高い光学性能を保持しつつ、レンズ系全体の小型化を可能にしている。
【００１９】
実施の形態３に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、負のパワーを有する第６レンズ群Ｇ６とを備える。実施の形態３に係るズームレンズ系では、ズーミングに際して、各レンズ群の間隔がいずれも変化するように、各レンズ群が光軸に沿った方向にそれぞれ移動する。実施の形態３に係るズームレンズ系は、これら各レンズ群を所望のパワー配置にすることにより、高い光学性能を保持しつつ、レンズ系全体の小型化を可能にしている。
【００２０】
実施の形態４に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。実施の形態４に係るズームレンズ系では、ズーミングに際して、各レンズ群の間隔がいずれも変化するように、各レンズ群が光軸に沿った方向にそれぞれ移動する。実施の形態４に係るズームレンズ系は、これら各レンズ群を所望のパワー配置にすることにより、高い光学性能を保持しつつ、レンズ系全体の小型化を可能にしている。
【００２１】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００２２】
さらに図１、１０及び１３に示すように、第４レンズ群Ｇ４内に開口絞りＡが設けられており、図４、７及び１６に示すように、第４レンズ群Ｇ４の最物体側に開口絞りＡが設けられている。
【００２３】
（実施の形態１）
第１レンズ群Ｇ１は、物体側に凸面を向けた正メニスカス形状の第１レンズ素子Ｌ１のみからなる。
【００２４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００２５】
第３レンズ群Ｇ３は、像側に凸面を向けた負メニスカス形状の第６レンズ素子Ｌ６のみからなる。
【００２６】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第７レンズ素子Ｌ７と第８レンズ素子Ｌ８とが互いに接合されており、後述する対応数値実施例における面データでは、これら第７レンズ素子Ｌ７と第８レンズ素子Ｌ８との間の接着剤層に面番号１４が付与されている。また、第１０レンズ素子Ｌ１０と第１１レンズ素子Ｌ１１とが互いに接合されており、後述する対応数値実施例における面データでは、これら第１０レンズ素子Ｌ１０と第１１レンズ素子Ｌ１１との間の接着剤層に面番号２１が付与されている。第９レンズ素子Ｌ９は、その両面が非球面であり、第１２レンズ素子Ｌ１２は、その両面が非球面である。
【００２７】
第５レンズ群Ｇ５は、物体側に凸面を向けた負メニスカス形状の第１３レンズ素子Ｌ１３のみからなる。
【００２８】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００２９】
第７レンズ群Ｇ７は、両凸形状の第１８レンズ素子Ｌ１８のみからなる。
【００３０】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は広くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００３１】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００３２】
第４レンズ群Ｇ４の一部である第９レンズ素子Ｌ９は、像のぶれを光学的に補正するために光軸に対して垂直方向に移動する像ぶれ補正レンズ群に相当する。
【００３３】
（実施の形態２）
第１レンズ群Ｇ１は、物体側に凸面を向けた正メニスカス形状の第１レンズ素子Ｌ１のみからなる。
【００３４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第３レンズ素子Ｌ３は、その両面が非球面である。
【００３５】
第３レンズ群Ｇ３は、像側に凸面を向けた負メニスカス形状の第５レンズ素子Ｌ５のみからなる。
【００３６】
第４レンズ群Ｇ４は、物体側から像側へと順に、開口絞りＡと、両凸形状の第６レンズ素子Ｌ６と、両凹形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。第８レンズ素子Ｌ８と第９レンズ素子Ｌ９とが互いに接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面であり、第１０レンズ素子Ｌ１０は、その両面が非球面である。
【００３７】
第５レンズ群Ｇ５は、物体側に凸面を向けた負メニスカス形状の第１１レンズ素子Ｌ１１のみからなる。
【００３８】
第６レンズ群Ｇ６は、物体側から像側へと順に、両凸形状の第１２レンズ素子Ｌ１２と、両凹形状の第１３レンズ素子Ｌ１３と、像側に凸面を向けた負メニスカス形状の第１４レンズ素子Ｌ１４とからなる。第１３レンズ素子Ｌ１３は、その両面が非球面である。
【００３９】
第７レンズ群Ｇ７は、両凸形状の第１５レンズ素子Ｌ１５のみからなる。
【００４０】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は広くなり、第３レンズ群Ｇ３と第４レンズ群Ｇ４との間隔は狭くなり、第４レンズ群Ｇ４と第５レンズ群Ｇ５の間隔は広くなり、第５レンズ群Ｇ５と第６レンズ群Ｇ６との間隔は狭くなり、第６レンズ群Ｇ６と第７レンズ群Ｇ７の間隔とは広くなるように、各レンズ群が光軸に沿って移動する。
【００４１】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００４２】
第４レンズ群Ｇ４の一部である第７レンズ素子Ｌ７は、像のぶれを光学的に補正するために光軸に対して垂直方向に移動する像ぶれ補正レンズ群に相当する。
【００４３】
（実施の形態３）
第１レンズ群Ｇ１は、物体側に凸面を向けた正メニスカス形状の第１レンズ素子Ｌ１のみからなる。
【００４４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４からなる。第３レンズ素子Ｌ３は、その両面が非球面である。
【００４５】
第３レンズ群Ｇ３は、像側に凸面を向けた負メニスカス形状の第５レンズ素子Ｌ５のみからなる。
【００４６】
第４レンズ群Ｇ４は、物体側から像側へと順に、開口絞りＡと、物体側に凸面を向けた負メニスカス形状の第６レンズ素子Ｌ６と、両凸形状の第７レンズ素子Ｌ７と、両凹形状の第８レンズ素子Ｌ８と、両凸形状の第９レンズ素子Ｌ９と、両凹形状の第１０レンズ素子Ｌ１０と、物体側に凸面を向けた正メニスカス形状の第１１レンズ素子Ｌ１１と、両凸形状の第１２レンズ素子Ｌ１２とからなる。第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。また、第９レンズ素子Ｌ９と第１０レンズ素子Ｌ１０とが互いに接合されており、後述する対応数値実施例における面データでは、これら第９レンズ素子Ｌ９と第１０レンズ素子Ｌ１０との間の接着剤層に面番号１９が付与されている。第１１レンズ素子Ｌ１１は、その両面が非球面であり、第１２レンズ素子Ｌ１２は、その物体側面が非球面である。
【００４７】
第５レンズ群Ｇ５は、物体側に凸面を向けた負メニスカス形状の第１３レンズ素子Ｌ１３のみからなる。第１３レンズ素子Ｌ１３は、その両面が非球面である。
【００４８】
第６レンズ群Ｇ６は、物体側から像側へと順に、像側に凸面を向けた負メニスカス形状の第１４レンズ素子Ｌ１４と、両凸形状の第１５レンズ素子Ｌ１５とからなる。
【００４９】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなるように、各レンズ群が光軸に沿って移動する。
【００５０】
無限遠合焦状態から近接物体合焦状態へのフォーカシングの際に、フォーカシングレンズ群である第３レンズ群Ｇ３は、いずれのズーミング状態でも光軸に沿って物体側へ移動する。
【００５１】
第５レンズ群Ｇ５は、像のぶれを光学的に補正するために光軸に対して垂直方向に移動する像ぶれ補正レンズ群に相当する。
【００５２】
（実施の形態４）
第１レンズ群Ｇ１は、物体側に凸面を向けた正メニスカス形状の第１レンズ素子Ｌ１のみからなる。
【００５３】
第２レンズ群Ｇ２は、物体側から像側へと順に、物体側に凸面を向けた負メニスカス形状の第２レンズ素子Ｌ２と、物体側に凸面を向けた負メニスカス形状の第３レンズ素子Ｌ３と、物体側に凸面を向けた正メニスカス形状の第４レンズ素子Ｌ４とからなる。
【００５４】
第３レンズ群Ｇ３は、像側に凸面を向けた負メニスカス形状の第５レンズ素子Ｌ５のみからなる。第５レンズ素子Ｌ５は、その両面が非球面である。
【００５５】
第４レンズ群Ｇ４は、物体側から像側へと順に、両凸形状の第６レンズ素子Ｌ６と、開口絞りＡと、物体側に凸面を向けた負メニスカス形状の第７レンズ素子Ｌ７と、両凸形状の第８レンズ素子Ｌ８と、像側に凸面を向けた正メニスカス形状の第９レンズ素子Ｌ９とからなる。第６レンズ素子Ｌ６は、その像側面が非球面であり、第８レンズ素子Ｌ８は、その像側面が非球面である。
【００５６】
第５レンズ群Ｇ５は、物体側に凸面を向けた負メニスカス形状の第１０レンズ素子Ｌ１０のみからなる。
【００５７】
第６レンズ群Ｇ６は、物体側から像側へと順に、両凸形状の第１１レンズ素子Ｌ１１と、両凹形状の第１２レンズ素子Ｌ１２と、両凸形状の第１３レンズ素子Ｌ１３とからなる。第１２レンズ素子Ｌ１２と第１３レンズ素子Ｌ１３とが互いに接合されており、後述する対応数値実施例における面データでは、これら第１２レンズ素子Ｌ１２と第１３レンズ素子Ｌ１３との間の接着剤層に面番号２５が付与されている。第１１レンズ素子Ｌ１１は、その両面が非球面である。
【００５８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は狭くなり、第５レンズ群Ｇ５と第６レンズ群Ｇ６との間隔は広くなるように、各レンズ群が光軸に沿って移動する。
【００５９】
無限遠合焦状態から近接物体合焦状態へのフォーカシングの際に、フォーカシングレンズ群である第５レンズ群Ｇ５は、いずれのズーミング状態でも光軸に沿って像側へ移動する。
【００６０】
第４レンズ群Ｇ４の一部である第８レンズ素子Ｌ８は、像のぶれを光学的に補正するために光軸に対して垂直方向に移動する像ぶれ補正レンズ群に相当する。
【００６１】
（実施の形態５）
第１レンズ群Ｇ１は、物体側に凸面を向けた正メニスカス形状の第１レンズ素子Ｌ１のみからなる。
【００６２】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００６３】
第３レンズ群Ｇ３は、像側に凸面を向けた負メニスカス形状の第６レンズ素子Ｌ６のみからなる。
【００６４】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第７レンズ素子Ｌ７と第８レンズ素子Ｌ８とが互いに接合されており、後述する対応数値実施例における面データでは、これら第７レンズ素子Ｌ７と第８レンズ素子Ｌ８との間の接着剤層に面番号１４が付与されている。また、第１０レンズ素子Ｌ１０と第１１レンズ素子Ｌ１１とが互いに接合されており、後述する対応数値実施例における面データでは、これら第１０レンズ素子Ｌ１０と第１１レンズ素子Ｌ１１との間の接着剤層に面番号２１が付与されている。第９レンズ素子Ｌ９は、その両面が非球面であり、第１２レンズ素子Ｌ１２は、その両面が非球面である。
【００６５】
第５レンズ群Ｇ５は、物体側に凸面を向けた負メニスカス形状の第１３レンズ素子Ｌ１３のみからなる。
【００６６】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００６７】
第７レンズ群Ｇ７は、像側に凸面を向けた正メニスカス形状の第１８レンズ素子Ｌ１８のみからなる。
【００６８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるよう、各レンズ群が光軸に沿って移動する。
【００６９】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００７０】
第４レンズ群Ｇ４の一部である第９レンズ素子Ｌ９は、像のぶれを光学的に補正するために光軸に対して垂直方向に移動する像ぶれ補正レンズ群に相当する。
【００７１】
（実施の形態６）
第１レンズ群Ｇ１は、物体側に凸面を向けた正メニスカス形状の第１レンズ素子Ｌ１のみからなる。
【００７２】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第３レンズ素子Ｌ３は、その両面が非球面である。
【００７３】
第３レンズ群Ｇ３は、像側に凸面を向けた負メニスカス形状の第５レンズ素子Ｌ５のみからなる。
【００７４】
第４レンズ群Ｇ４は、物体側から像側へと順に、開口絞りＡと、両凸形状の第６レンズ素子Ｌ６と、両凹形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。第８レンズ素子Ｌ８と第９レンズ素子Ｌ９とが互いに接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面であり、第１０レンズ素子Ｌ１０は、その両面が非球面である。
【００７５】
第５レンズ群Ｇ５は、物体側に凸面を向けた負メニスカス形状の第１１レンズ素子Ｌ１１のみからなる。
【００７６】
第６レンズ群Ｇ６は、物体側から像側へと順に、両凸形状の第１２レンズ素子Ｌ１２と、両凹形状の第１３レンズ素子Ｌ１３と、像側に凸面を向けた負メニスカス形状の第１４レンズ素子Ｌ１４とからなる。第１３レンズ素子Ｌ１３は、その両面が非球面である。
【００７７】
第７レンズ群Ｇ７は、像側に凸面を向けた正メニスカス形状の第１５レンズ素子Ｌ１５のみからなる。
【００７８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は広くなり、第６レンズ群Ｇ６と第７レンズ群Ｇ７との間隔は広くなるように、各レンズ群が光軸に沿って移動する。
【００７９】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００８０】
第４レンズ群Ｇ４の一部である第７レンズ素子Ｌ７は、像のぶれを光学的に補正するために光軸に対して垂直方向に移動する像ぶれ補正レンズ群に相当する。
【００８１】
このように、実施の形態１〜６に係るズームレンズ系は、物体側から像側へと順に、正のパワーを有する第１レンズ群Ｇ１と、負のパワーを有する第２レンズ群Ｇ２と、３つ以上のレンズ群及び開口絞りＡで構成された後続レンズ群とからなる。
【００８２】
実施の形態１〜６に係るズームレンズ系では、第１レンズ群Ｇ１が、正のパワーを有するレンズ素子を含む２枚以下のレンズ素子で構成されている。これにより、レンズ全長の短縮が可能となる。
【００８３】
さらには、第１レンズ群Ｇ１が正のパワーを有するレンズ素子１枚で構成されていることで、レンズ全長の短縮効果をより一層高めることが可能となる。
【００８４】
実施の形態１〜６に係るズームレンズ系では、第２レンズ群Ｇ２が、物体側から像側へと順に、負のパワーを有するレンズ素子２枚と正のパワーを有するレンズ素子１枚とを含んでいる。これにより、ズーム全域で像面湾曲を補正することができ、光学性能の向上が可能となる。
【００８５】
実施の形態１〜６に係るズームレンズ系では、後続レンズ群のうち物体側から２番目に配置されたレンズ群、すなわち第４レンズ群Ｇ４が開口絞りＡを有し、該第４レンズ群Ｇ４は、両凸形状のレンズ素子を２枚以上含む構成である。これにより、軸上光束が広がる開口絞りＡ付近にて、球面収差を効果的に補正することができる。
【００８６】
実施の形態１〜６に係るズームレンズ系では、撮像時の広角端から望遠端へのズーミングの際に、広角端での第１レンズ群Ｇ１と第２レンズ群Ｇ２との間隔よりも望遠端での該間隔の方が長くなり、広角端での第２レンズ群Ｇ２と第３レンズ群Ｇ３との間隔よりも望遠端での該間隔の方が短くなるように、各レンズ群が光軸に沿って物体側へ移動する。すなわち、ズーミングの際に光軸に沿って移動する全てのレンズ群が、広角端での位置よりも望遠端での位置が像面に対して物体側となるように移動する。なお、該ズーミングの際に、開口絞りＡは第４レンズ群Ｇ４と共に光軸に沿って移動する。
【００８７】
実施の形態１〜６に係るズームレンズ系では、第１レンズ群Ｇ１と開口絞りＡとの間に、３枚以上の負のパワーを有するレンズ素子が配置されている。
【００８８】
大口径のズームレンズ系の場合、一般に、広角端での明るさと同じ明るさを望遠端で確保するためには、開口絞りＡを広角端側よりも望遠端側で広く開ける必要があるが、その結果、望遠端で球面収差が多く発生し、光学性能に悪影響を及ぼす。しかしながら、第１レンズ群Ｇ１と開口絞りＡとの間に３枚以上の負のパワーを有するレンズ素子を配置することによって、望遠端で発生する球面収差を充分に補正することが可能となる。
【００８９】
実施の形態１〜６に係るズームレンズ系では、撮像時の広角端から望遠端へのズーミングの際に、第１レンズ群Ｇ１が光軸に沿って移動する。これにより、第１レンズ群Ｇ１よりも像側に配置されたレンズ群の光線高を小さくすることができる。その結果、第１レンズ群Ｇ１よりも像側に配置されたレンズ群の小径化が実現され、さらには、インナーフォーカス方式を採用する光学系において、フォーカシングレンズ群の小径化及び軽量化も可能となる。
【００９０】
実施の形態１〜６に係るズームレンズ系では、撮像時の広角端から望遠端へのズーミングの際に、第２レンズ群Ｇ２が光軸に沿って移動する。これにより、ズーム全域で像面湾曲を補正することができ、結像性能の向上が可能となる。
【００９１】
実施の形態１〜６に係るズームレンズ系では、撮像時の広角端から望遠端へのズーミングの際に、第３レンズ群Ｇ３が光軸に沿って移動する。これにより、ズームレンズ系の小型化を図りつつ、結像性能の向上が可能となる。
【００９２】
実施の形態１〜６に係るズームレンズ系は、全系の振動による像点移動を補正する、すなわち、手ぶれ、振動等による像のぶれを光学的に補正するために光軸に対して垂直方向に移動する、１枚以上のレンズ素子で構成された像ぶれ補正レンズ群を有する。さらに、実施の形態１〜６に係るズームレンズ系は、無限遠合焦状態から近接物体合焦状態へのフォーカシングの際に光軸に沿って移動する、１枚以上のレンズ素子で構成されたフォーカシングレンズ群を１つ以上有する。
【００９３】
実施の形態１〜６に係るズームレンズ系では、後続レンズ群のうちいずれかのレンズ群又はいずれかのレンズ群の一部が像ぶれ補正レンズ群であり、該像ぶれ補正レンズ群は、開口絞りＡよりも像側に配置されている。これにより、像ぶれ補正レンズ群のレンズ径の小型化が可能となる。
【００９４】
実施の形態１〜６に係るズームレンズ系では、像ぶれ補正レンズ群が１枚のレンズ素子で構成されている。これにより、像ぶれ補正レンズ群の軽量化が実現され、像ぶれ補正機構の構成の簡略化が可能となる。その結果、レンズ鏡筒の小型化も実現される。
【００９５】
さらに、像ぶれ補正レンズ群よりも像側に正のパワーを有するレンズ群を１つ以上配置することで、像ぶれ補正時の光学性能をより良好に維持することができる。
【００９６】
実施の形態１〜６に係るズームレンズ系では、無限遠合焦状態から近接物体合焦状態へのフォーカシングの際に光軸に沿って移動するフォーカシングレンズ群が２枚以下のレンズ素子で構成されている。これにより、フォーカシングレンズ群の軽量化が実現される。
【００９７】
さらにフォーカシングレンズ群は、単レンズ素子のみで構成されていることが有益である。この場合、軽量なフォーカシングレンズ群によるフォーカシングの高速応答が期待できる。
【００９８】
実施の形態１〜３、５及び６に係るズームレンズ系では、後続レンズ群のうち最物体側に配置されたレンズ群、すなわち第３レンズ群Ｇ３が、無限遠合焦状態から近接物体合焦状態へのフォーカシングの際に光軸に沿って移動するフォーカシングレンズ群である。
【００９９】
実施の形態１、２及び４〜６に係るズームレンズ系では、後続レンズ群のうち開口絞りＡよりも像側に配置されたレンズ群がフォーカシングレンズ群である。
【０１００】
実施の形態１、２、５及び６に係るズームレンズ系では、後続レンズ群のうち２つ以上のレンズ群がフォーカシングレンズ群である。これにより、近接物体合焦状態での光学性能を良好に維持することが可能となる。
【０１０１】
実施の形態１〜６に係るズームレンズ系では、後続レンズ群のうち最像側に配置されたレンズ素子が正のパワーを有する。これにより、像面Ｓに配置された撮像素子に入射する光線の入射角度を緩くすることが可能となる。
【０１０２】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【０１０３】
例えば実施の形態１〜６に係るズームレンズ系のように、物体側から像側へと順に、正のパワーを有する第１レンズ群と、負のパワーを有する第２レンズ群と、３つ以上のレンズ群及び開口絞りで構成された後続レンズ群とからなり、前記第１レンズ群は、２枚以下のレンズ素子で構成され、撮像時の広角端から望遠端へのズーミングの際に光軸に沿って移動し、前記第１レンズ群と前記開口絞りとの間に、３枚以上の負のパワーを有するレンズ素子が配置されている（以下、このレンズ構成を、実施の形態の基本構成という）ズームレンズ系は、以下の条件（１）及び（２）を満足する。
０．３０＜｜ＢＦＷ／ＹＷ｜＜１．３９  ・・・（１）
１．１０＜ＳＤＴ／ＳＤＷ＜２．００  ・・・（２）
ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である。
【０１０４】
前記条件（１）は、広角端におけるバックフォーカス、すなわち最像側に配置されたレンズ素子の像側面の面頂から像面までの距離と、広角端における対角像高との比を規定する条件である。実施の形態１〜６に係るズームレンズ系は、条件（１）を満足するので、光学性能を良好に維持しながら、レンズ全長の短縮化が実現されている。
【０１０５】
条件（１）の上限を上回ると、広角端における対角像高に対して、バックフォーカスが長くなり、撮像素子に入射する光線の入射角度は緩くなる反面、レンズ全長が長くなり、ズームレンズ系の小型化を達成することが困難となる。条件（１）の下限を下回ると、撮像素子に入射する光線の入射角度の傾斜が大きくなり、高い光学性能を維持することが困難となる。
【０１０６】
以下の条件（１）’及び（１）’’の少なくとも１つを満足することにより、前記効果をさらに奏功させることができる。
０．４５＜｜ＢＦＷ／ＹＷ｜  ・・・（１）’
｜ＢＦＷ／ＹＷ｜＜１．３０  ・・・（１）’’
【０１０７】
前記条件（２）は、望遠端における最大開口絞り径と広角端における最大開口絞り径との比を規定する条件である。実施の形態１〜６に係るズームレンズ系は、条件（２）を満足するので、広角端から望遠端へのズーミングの際に、明るさの条件を一定に揃えた撮像を可能とする。
【０１０８】
条件（２）の上限を上回ると、大口径化に付随して望遠端で球面収差やコマ収差が多く発生し、広角端での光学性能との差が著しくなる。条件（２）の下限を下回ると、広角端での光量と望遠端での光量との差が拡大し、広角端から望遠端へのズーミングの際に、明るさの条件を一定に揃えた撮像には不適切となる。
【０１０９】
以下の条件（２−１）’及び（２−１）’’の少なくとも１つを満足することにより、前記効果をさらに奏功させることができる。
１．２０＜ＳＤＴ／ＳＤＷ  ・・・（２−１）’
ＳＤＴ／ＳＤＷ＜１．８０  ・・・（２−１）’’
【０１１０】
さらに以下の条件（２−２）’及び（２−２）’’の少なくとも１つを満足することにより、前記効果をより一層奏功させることができる。
１．３０＜ＳＤＴ／ＳＤＷ  ・・・（２−２）’
ＳＤＴ／ＳＤＷ＜１．７０  ・・・（２−２）’’
【０１１１】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１１２】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【０１１３】
（実施の形態７）
図１９は、実施の形態７に係るレンズ交換式デジタルカメラシステムの概略構成図である。
【０１１４】
本実施の形態７に係るレンズ交換式デジタルカメラシステム１００は、カメラ本体１０１と、カメラ本体１０１に着脱自在に接続される交換レンズ装置２０１とを備える。
【０１１５】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るズームレンズ系を用いた場合を図示している。
【０１１６】
本実施の形態７では、実施の形態１〜６いずれかに係るズームレンズ系２０２を用いているので、コンパクトで結像性能に優れた交換レンズ装置を低コストで実現することができる。また、本実施の形態７に係るカメラシステム１００全体の小型化及び低コスト化も達成することができる。なお、これら実施の形態１〜６に係るズームレンズ系は、全てのズーミング域を使用する必要はない。すなわち、所望のズーミング域に応じて、光学性能が確保されている範囲を切り出し、以下の対応する数値実施例１〜６で説明するズームレンズ系よりも低倍率のズームレンズ系として使用してもよい。
【０１１７】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１１８】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014129187.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１９】
図２、５、８、１１、１４及び１７は、各々数値実施例１〜６に係るズームレンズ系の無限遠合焦状態の縦収差図である。
【０１２０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２１】
図３、６、９、１２、１５及び１８は、各々数値実施例１〜６に係るズームレンズ系の望遠端における横収差図である。
【０１２２】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１２３】
なお、各数値実施例のズームレンズ系について、望遠端における、像ぶれ補正状態での像ぶれ補正レンズ群の光軸と垂直な方向への移動量（ｍｍ）は、以下に示すとおりである。
数値実施例    移動量（ｍｍ）
１            ０．０１４
２            ０．０１４
３            ０．０１４
４            ０．０１４
５            ０．０１４
６            ０．０１４
【０１２４】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１２５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１２６】
（数値実施例１）
数値実施例１のズームレンズ系は、図１に示した実施の形態１に対応する。数値実施例１のズームレンズ系の面データを表１に、非球面データを表２に、各種データを表３に、単レンズデータを表４に、ズームレンズ群データを表５に、ズームレンズ群倍率を表６に示す。
【０１２７】
表  １（面データ）
面番号         r           d           nd         vd                
物面             ∞                                               
1          2.08010     0.29530     1.59349    67.0               
2         10.38890        可変                                   
3          3.02610     0.05660     2.00069    25.5               
4          0.78610     0.33790                                   
5*        -2.80650     0.04450     1.61881    63.9               
6*         2.11510     0.00430                                   
7          1.52320     0.16950     1.92049    20.4               
8         -3.44070     0.03350                                   
9         -1.89360     0.03010     1.93985    31.6               
10         -2.43920        可変                                   
11         -1.08360     0.03640     1.71300    53.9               
12         -4.95280        可変                                   
13          1.24260     0.19590     1.95375    32.3               
14         -5.24890     0.00040     1.56732    42.8               
15         -5.24890     0.02830     1.91285    18.6               
16         -5.77800     0.04050                                   
17(絞り)           ∞     0.08320                                   
18*        -5.77460     0.02830     1.77250    49.5               
19*         3.62930     0.04050                                   
20          0.86250     0.27560     1.61800    63.4               
21         -1.31230     0.00040     1.56732    42.8               
22         -1.31230     0.02830     1.93194    23.1               
23          1.12040     0.02820                                   
24*         1.12950     0.11290     1.85135    40.1               
25*      -139.70570        可変                                   
26          5.47530     0.02830     1.80518    25.5               
27          1.53880        可変                                   
28          0.95210     0.34050     1.59282    68.6               
29         -1.40710     0.02080                                   
30*       -16.27190     0.02930     1.76801    49.2               
31*         1.52520     0.07240                                   
32          3.72460     0.05730     1.70656    25.4               
33          7.11800     0.19660                                   
34         -0.77810     0.02830     1.62217    62.7               
35        -21.44740        可変                                   
36          5.15790     0.16480     1.94595    18.0               
37         -3.36610        (BF)                                   
像面             ∞                                               
【０１２８】
表  ２（非球面データ）
第5面
K= 0.00000E+00, A4= 1.99113E-02, A6= 3.67766E-02, A8= 1.45427E-01 
A10=-2.90987E-01 
第6面
K= 0.00000E+00, A4=-7.04614E-02, A6=-4.00806E-03, A8=-7.44474E-02 
A10=-3.28602E-01 
第18面
K= 0.00000E+00, A4= 2.20636E-02, A6=-1.98617E-02, A8= 9.51305E-02 
A10=-5.27705E-01 
第19面
K= 0.00000E+00, A4=-1.99548E-02, A6= 5.35999E-02, A8=-2.02944E-01 
A10=-2.72783E-01 
第24面
K= 0.00000E+00, A4=-3.89066E-01, A6=-9.49243E-02, A8=-8.66886E-01 
A10= 1.87708E+00 
第25面
K= 0.00000E+00, A4= 5.93174E-02, A6=-2.15146E-01, A8= 2.50322E-01 
A10=-1.04512E-03 
第30面
K= 0.00000E+00, A4=-2.09188E-01, A6=-2.15261E-01, A8= 5.66262E-02 
A10=-3.91742E+00 
第31面
K= 0.00000E+00, A4= 1.89495E-01, A6= 2.03738E-02, A8= 2.29840E+00 
A10=-8.10091E+00
【０１２９】
表  ３（各種データ）
ズーム比     2.74588
広角      中間      望遠
焦点距離       0.9999    1.6569    2.7455
Ｆナンバー     2.92252   2.92090   2.92378
画角        41.4050   26.2253   16.1714
像高         0.8090    0.8090    0.8090
レンズ全長      4.4370    4.7915    5.8229
ＢＦ        0.48280   0.89769   1.15552
d2           0.0202    0.3185    1.0025
d10          0.2496    0.2528    0.2950
d12          0.5669    0.2340    0.0663
d25          0.0417    0.0861    0.0599
d27          0.2467    0.0871    0.0557
d35          0.0202    0.1064    0.3791
入射瞳位置      1.1177    1.5373    3.0905
射出瞳位置     -1.7741   -2.2368   -3.2710
前側主点位置    1.5535    1.9672    3.5306
後側主点位置    3.4371    3.1346    3.0774
【０１３０】
表  ４（単レンズデータ）
レンズ     始面     焦点距離
1         1        4.3250
2         3       -1.0748
3         5       -1.9424
4         7        1.1661
5         9       -9.2548
6        11       -1.9530
7        13        1.0692
8        15      -64.4375
9        18       -2.8812
10        20        0.8850
11        22       -0.6449
12        24        1.3166
13        26       -2.6667
14        28        1.0123
15        30       -1.8144
16        32       10.9806
17        34       -1.2984
18        36        2.1737
【０１３１】
表  ５（ズームレンズ群データ）
群   始面    焦点距離  レンズ構成長    前側主点位置  後側主点位置
1      1     4.32503     0.29530        -0.04579       0.06662
2      3    -1.75466     0.67640        -0.16381      -0.10835
3     11    -1.95305     0.03640        -0.00597       0.00909
4     13     0.99667     0.86250         0.03605       0.32659
5     26    -2.66674     0.02830         0.02188       0.03445
6     28     9.79946     0.74520        -4.39438      -2.69104
7     36     2.17366     0.16480         0.05173       0.13104
【０１３２】
表  ６（ズームレンズ群倍率）
群   始面    広角       中間       望遠
1      1    0.00000    0.00000    0.00000
2      3   -0.70602   -0.80231   -1.16744
3     11    0.32688    0.31772    0.28595
4     13   -1.05108   -1.57399   -1.88922
5     26    2.18233    3.57852    6.58747
6     28    0.57286    0.46688    0.33739
7     36    0.76236    0.57148    0.45287
【０１３３】
（数値実施例２）
数値実施例２のズームレンズ系は、図４に示した実施の形態２に対応する。数値実施例２のズームレンズ系の面データを表７に、非球面データを表８に、各種データを表９に、単レンズデータを表１０に、ズームレンズ群データを表１１に、ズームレンズ群倍率を表１２に示す。
【０１３４】
表  ７（面データ）
面番号         r           d           nd         vd     
物面             ∞                                               
1          2.01140     0.28310     1.59201    67.0               
2         10.66470        可変                        
3          2.73270     0.05660     2.00069    25.5               
4          0.76300     0.37190                                   
5*        -2.95210     0.04450     1.61881    63.9               
6*         1.94180     0.00400                        
7          1.44430     0.16670     1.92286    20.9               
8         -6.58280        可変                        
9         -1.08290     0.05660     1.71300    53.9    
10         -5.05690        可変                                   
11(絞り)           ∞     0.02430                        
12          1.21810     0.18570     1.95375    32.3    
13         -6.11440     0.14290                                   
14*        -6.08100     0.02830     1.75039    45.5               
15*         3.42180     0.04040                        
16          0.85060     0.26610     1.61800    63.4               
17         -1.31580     0.00040     1.56732    42.8               
18         -1.31580     0.02840     1.93136    21.8               
19          1.15990     0.02740                                   
20*         1.26140     0.11010     1.84434    32.8               
21*        -9.43860        可変                        
22          7.84100     0.02830     1.80448    28.0               
23          1.50530        可変                                   
24          0.94160     0.29010     1.59282    68.6    
25         -1.30340     0.02270                                   
26*       -13.20090     0.02850     1.75512    45.6               
27*         1.55780     0.32690                        
28         -0.81950     0.02830     1.62185    62.8               
29       -427.39830        可変                                   
30          4.12120     0.18560     1.94595    18.0               
31         -3.52280        (BF)                                   
像面             ∞                                               
【０１３５】
表  ８（非球面データ）
第5面
K= 0.00000E+00, A4= 1.30353E-02, A6= 2.74843E-02, A8= 1.78636E-01 
A10=-6.25695E-01 
第6面
K= 0.00000E+00, A4=-5.91672E-02, A6= 4.55126E-02, A8=-5.25365E-02 
A10=-6.27117E-01 
第14面
K= 0.00000E+00, A4= 1.96831E-02, A6= 1.81108E-03, A8= 1.13946E-01 
A10=-4.69434E-01 
第15面
K= 0.00000E+00, A4=-1.55157E-02, A6= 4.05881E-02, A8=-1.85673E-01 
A10=-7.69621E-02 
第20面
K= 0.00000E+00, A4=-4.07338E-01, A6=-1.35689E-01, A8=-9.88237E-01 
A10= 2.38053E+00 
第21面
K= 0.00000E+00, A4= 6.57462E-02, A6=-1.73032E-01, A8= 4.45039E-01 
A10=-2.06507E-01 
第26面
K= 0.00000E+00, A4=-2.24771E-01, A6=-3.04262E-01, A8=-5.10086E-01 
A10=-4.44251E+00 
第27面
K= 0.00000E+00, A4= 2.20376E-01, A6=-4.02583E-02, A8= 1.93266E+00 
A10=-8.82096E+00
【０１３６】
表  ９（各種データ）
ズーム比     2.74621
広角      中間      望遠
焦点距離       0.9998    1.6570    2.7457
Ｆナンバー     2.90317   2.90253   2.89764
画角        40.5303   26.0227   16.0223
像高         0.8090    0.8090    0.8090
レンズ全長      4.3904    4.6156    5.6310
ＢＦ        0.48591   0.89635   1.05888
d2           0.0201    0.3242    1.0290
d8           0.3394    0.2498    0.2837
d10          0.5198    0.1908    0.0404
d21          0.0405    0.1155    0.0850
d23          0.2167    0.0871    0.0700
d29          0.0202    0.0040    0.3162
入射瞳位置      1.0936    1.4478    3.0389
射出瞳位置     -1.9326   -2.1813   -3.3408
前側主点位置    1.5760    1.8458    3.5276
後側主点位置    3.3906    2.9586    2.8852
【０１３７】
表  １０（単レンズデータ）
レンズ     始面     焦点距離
1         1        4.1370
2         3       -1.0733
3         5       -1.8863
4         7        1.2964
5         9       -1.9442
6        12        1.0783
7        14       -2.9143
8        16        0.8771
9        18       -0.6583
10        20        1.3241
11        22       -2.3203
12        24        0.9687
13        26       -1.8437
14        28       -1.3204
15        30        2.0318
【０１３８】
表  １１（ズームレンズ群データ）
群   始面    焦点距離  レンズ構成長    前側主点位置  後側主点位置
1      1     4.13696     0.28310        -0.04084       0.06657
2      3    -1.76452     0.64370        -0.17083      -0.13750
3      9    -1.94419     0.05660        -0.00906       0.01430
4     11     0.96973     0.85400         0.07671       0.33229
5     22    -2.32032     0.02830         0.01945       0.03203
6     24    13.50174     0.69650        -6.15225      -3.92947
7     30     2.03180     0.18560         0.05204       0.14112
【０１３９】
表  １２（ズームレンズ群倍率）
群   始面    広角       中間       望遠
1      1    0.00000    0.00000    0.00000
2      3   -0.76498   -0.88114   -1.35969
3      9    0.31510    0.30932    0.27139
4     11   -0.96910   -1.42004   -1.59963
5     22    2.33791    3.68192    5.45272
6     24    0.59887    0.52345    0.45127
7     30    0.73896    0.53695    0.45695
【０１４０】
（数値実施例３）
数値実施例３のズームレンズ系は、図７に示した実施の形態３に対応する。数値実施例３のズームレンズ系の面データを表１３に、非球面データを表１４に、各種データを表１５に、単レンズデータを表１６に、ズームレンズ群データを表１７に、ズームレンズ群倍率を表１８に示す。
【０１４１】
表  １３（面データ）
面番号         r           d           nd         vd     
物面             ∞                                               
1          2.55730     0.24270     1.59357    67.0               
2         47.36080        可変                        
3          5.86950     0.05660     1.94595    18.0               
4          0.93550     0.40300                                   
5*        -3.32240     0.04450     1.59201    67.0               
6*         1.90730     0.00990                        
7          1.46090     0.20740     1.94595    18.0               
8         -6.03230        可変                        
9         -1.21430     0.05660     1.69027    56.0    
10       -106.07940        可変                                   
11(絞り)           ∞     0.01100                        
12          1.13530     0.02890     1.81518    20.9    
13          1.00350     0.00040     1.56732    42.8               
14          1.00350     0.24530     1.95069    31.1               
15         -4.70780     0.18390                                   
16         -1.89040     0.02840     1.78546    23.9               
17          5.82330     0.02060                                   
18          0.80630     0.26880     1.62105    62.8               
19         -1.31440     0.00040     1.56732    42.8               
20         -1.31440     0.02840     1.97890    23.5               
21          1.08670     0.03940                                   
22*         1.37070     0.07670     1.88660    35.0               
23*        11.49460     0.07410                        
24*         1.13900     0.21500     1.49710    81.6    
25         -1.09300        可変                                   
26*         3.31330     0.02950     1.73152    52.6    
27*         1.06230        可変                                   
28         -0.56580     0.02830     1.60236    64.7               
29         -1.94760     0.03110                                   
30         19.47870     0.13270     1.94595    18.0               
31         -2.39350        (BF)                                   
像面             ∞                                               
【０１４２】
表  １４（非球面データ）
第5面
K= 0.00000E+00, A4= 7.37167E-03, A6=-1.52598E-02, A8= 4.39930E-03 
A10=-5.83311E-02 
第6面
K= 0.00000E+00, A4=-8.11174E-03, A6=-2.43267E-02, A8=-6.16672E-02 
A10= 2.65934E-02 
第22面
K= 0.00000E+00, A4=-5.17561E-01, A6=-3.00951E-01, A8=-3.40162E-01 
A10= 2.32543E+00 
第23面
K= 0.00000E+00, A4= 1.56301E-01, A6=-1.20791E-02, A8=-2.70975E-01 
A10=-4.94112E-01 
第24面
K= 0.00000E+00, A4= 1.65585E-01, A6= 2.51091E-01, A8=-1.69018E+00 
A10=-2.77300E-01 
第26面
K= 0.00000E+00, A4= 6.74970E-02, A6= 2.28148E-01, A8= 5.15559E-01 
A10=-3.39178E+00 
第27面
K= 0.00000E+00, A4= 1.58173E-01, A6= 5.53141E-01, A8= 1.22659E+00 
A10= 1.32439E+00
【０１４３】
表  １５（各種データ）
ズーム比     2.74561
広角      中間      望遠
焦点距離       0.9999    1.6568    2.7453
Ｆナンバー     2.90358   2.90044   2.98617
画角        41.6127   25.9705   16.0424
像高         0.8090    0.8090    0.8090
レンズ全長      4.3515    4.7499    5.4060
ＢＦ        0.46363   0.87632   1.31477
d2           0.0201    0.4192    0.9631
d8           0.3375    0.3476    0.2430
d10          0.6246    0.2421    0.0293
d25          0.0118    0.0689    0.0633
d27          0.4303    0.3322    0.3289
入射瞳位置      1.1256    1.6745    2.6169
射出瞳位置     -1.7200   -2.0854   -2.5210
前側主点位置    1.5441    2.0148    2.3722
後側主点位置    3.3516    3.0931    2.6607
【０１４４】
表  １６（単レンズデータ）
レンズ     始面     焦点距離
1         1        4.5450
2         3       -1.1831
3         5       -2.0403
4         7        1.2602
5         9       -1.7799
6        12      -11.7620
7        14        0.8887
8        16       -1.8140
9        18        0.8457
10        20       -0.6042
11        22        1.7491
12        24        1.1591
13        26       -2.1494
14        28       -1.3342
15        30        2.2600
【０１４５】
表  １７（ズームレンズ群データ）
群   始面    焦点距離  レンズ構成長    前側主点位置  後側主点位置
1      1     4.54504     0.24270        -0.00868       0.08203
2      3    -2.58904     0.72140        -0.39296      -0.43460
3      9    -1.77993     0.05660        -0.00039       0.02272
4     11     0.90730     1.22130         0.49761       0.48353
5     26    -2.14941     0.02950         0.02522       0.03758
6     28    -3.72827     0.19210        -0.20046      -0.14260
【０１４６】
表  １８（ズームレンズ群倍率）
群   始面    広角       中間       望遠
1      1    0.00000    0.00000    0.00000
2      3   -1.19410   -1.46348   -2.11316
3      9    0.19879    0.18424    0.15838
4     11   -0.54171   -0.68824   -0.78792
5     26    1.40908    1.48281    1.58802
6     28    1.21413    1.32482    1.44242
【０１４７】
（数値実施例４）
数値実施例４のズームレンズ系は、図１０に示した実施の形態４に対応する。数値実施例４のズームレンズ系の面データを表１９に、非球面データを表２０に、各種データを表２１に、単レンズデータを表２２に、ズームレンズ群データを表２３に、ズームレンズ群倍率を表２４に示す。
【０１４８】
表  １９（面データ）
面番号         r           d           nd         vd     
物面             ∞                                               
1          2.72300     0.28590     1.62041    60.3               
2         26.41520        可変                        
3          3.96120     0.05660     1.88300    40.8               
4          0.75190     0.23790                                   
5         11.35420     0.04450     1.91082    35.2               
6          1.28700     0.00810                                   
7          1.18120     0.16530     1.92286    20.9               
8         15.47990        可変                        
9*        -0.87710     0.05660     1.58913    61.3    
10*        -1.33500        可変                        
11          1.47410     0.17230     1.85135    40.1    
12*        -2.66720     0.09080                                   
13(絞り)           ∞     0.08090                        
14          4.08680     0.04050     1.92286    20.9               
15          1.21110     0.09910                                   
16          1.45980     0.20230     1.55332    71.7               
17*        -1.71290     0.04050                        
18         -5.70790     0.14290     1.59282    68.6               
19         -1.14200        可変                        
20          4.48840     0.03240     2.00069    25.5               
21          1.01610        可変                        
22*         2.62310     0.26190     1.49710    81.6    
23*        -1.48530     0.27730                                   
24         -0.68690     0.04850     1.58913    61.3    
25          3.97540     0.00040     1.56732    42.8               
26          3.97540     0.17520     1.94595    18.0               
27         -2.81420        (BF)                        
像面             ∞                                               
【０１４９】
表  ２０（非球面データ）
第9面
K= 6.98194E-01, A4=-2.90592E-01, A6= 1.75458E+00, A8=-1.02258E+01 
A10= 2.31729E+01 
第10面
K= 0.00000E+00, A4=-4.93975E-01, A6= 1.00262E+00, A8=-7.85266E+00 
A10= 1.65417E+01 
第12面
K= 0.00000E+00, A4= 3.04636E-01, A6=-4.44296E-02, A8= 1.93689E-01 
A10=-6.41510E-01 
第17面
K= 0.00000E+00, A4= 2.30885E-01, A6= 2.33780E-02, A8=-2.26522E-01 
A10= 7.78862E-01 
第22面
K= 0.00000E+00, A4= 2.06626E-01, A6=-4.12939E-01, A8= 2.51405E+00 
A10=-5.42148E+00 
第23面
K= 0.00000E+00, A4=-9.26628E-02, A6=-7.31286E-01, A8= 2.81868E+00 
A10=-6.81714E+00
【０１５０】
表  ２１（各種データ）
ズーム比     2.74163
広角      中間      望遠
焦点距離       1.0003    1.6560    2.7425
Ｆナンバー     2.89760   2.89330   2.90130
画角        43.9763   27.5523   17.4610
像高         0.8750    0.8750    0.8750
レンズ全長      4.2318    4.7631    5.7296
ＢＦ        0.45743   0.78916   1.26220
d2           0.0404    0.6232    1.2042
d8           0.4199    0.2558    0.1989
d10          0.4642    0.2257    0.0606
d19          0.1544    0.1325    0.0606
d21          0.1756    0.2168    0.4232
入射瞳位置      1.0765    1.9283    3.1277
射出瞳位置     -1.6704   -2.0379   -2.7112
前側主点位置    1.4778    2.2387    3.0967
後側主点位置    3.2315    3.1070    2.9871
【０１５１】
表  ２２（単レンズデータ）
レンズ     始面     焦点距離
1         1        4.8710
2         3       -1.0598
3         5       -1.5970
4         7        1.3780
5         9       -4.5490
6        11        1.1369
7        14       -1.8777
8        16        1.4575
9        18        2.3805
10        20       -1.3187
11        22        1.9490
12        24       -0.9904
13        26        1.7640
【０１５２】
表  ２３（ズームレンズ群データ）
群   始面    焦点距離  レンズ構成長    前側主点位置  後側主点位置
1      1     4.87098     0.28590        -0.02019       0.09009
2      3    -1.21602     0.51240         0.00829       0.12890
3      9    -4.54905     0.05660        -0.07150      -0.05223
4     11     0.86749     0.86930         0.39880       0.44527
5     20    -1.31868     0.03240         0.02103       0.03716
6     22     6.12622     0.76330        -0.45303      -0.20890
【０１５３】
表  ２４（ズームレンズ群倍率）
群   始面    広角       中間       望遠
1      1    0.00000    0.00000    0.00000
2      3   -0.35655   -0.43004   -0.54125
3      9    0.65638    0.66353    0.65604
4     11   -0.52023   -0.62121   -0.68552
5     20    2.20015    2.69194    3.64098
6     22    0.76664    0.71249    0.63527
【０１５４】
（数値実施例５）
数値実施例５のズームレンズ系は、図１３に示した実施の形態５に対応する。数値実施例５のズームレンズ系の面データを表２５に、非球面データを表２６に、各種データを表２７に、単レンズデータを表２８に、ズームレンズ群データを表２９に、ズームレンズ群倍率を表３０に示す。
【０１５５】
表  ２５（面データ）
面番号         r           d           nd         vd     
物面             ∞                                               
1          2.65590     0.32360     1.59349    67.0               
2         49.28710        可変                        
3          4.21050     0.05660     2.00069    25.5               
4          0.91750     0.36290                                   
5*        -2.48950     0.04450     1.61881    63.9    
6*         2.06090     0.00420                                   
7          1.51030     0.24170     1.92130    21.7               
8         -3.29090     0.06110                                   
9         -1.58460     0.02940     1.93651    23.8               
10         -2.02260        可変                        
11         -1.15710     0.03640     1.71300    53.9    
12         -7.19140        可変                                   
13          1.31490     0.20190     1.95375    32.3    
14         -3.61770     0.00040     1.56732    42.8               
15         -3.61770     0.02960     1.92286    20.9               
16         -4.54930     0.04050                                   
17(絞り)           ∞     0.06420                        
18*        -5.99880     0.02830     1.77250    49.5               
19*         3.83280     0.03760                        
20          0.87260     0.28860     1.61800    63.4               
21         -1.33370     0.00040     1.56732    42.8               
22         -1.33370     0.03010     1.93135    24.4               
23          1.13800     0.04540                                   
24*         1.15720     0.13090     1.85135    40.1               
25*       -43.47300        可変                                   
26         54.38040     0.03840     1.80518    25.5               
27          1.99250        可変                                   
28          0.93310     0.36410     1.59282    68.6    
29         -1.50740     0.02190                                   
30*        -9.27290     0.03250     1.76801    49.2               
31*         1.50170     0.07740                        
32          2.80960     0.06760     1.77967    22.0               
33          7.21120     0.20320                                   
34         -0.76980     0.06500     1.62039    63.0               
35         -7.69990        可変                                   
36        -11.21190     0.22230     1.94595    18.0    
37         -2.04100        (BF)                        
像面             ∞                                               
【０１５６】
表  ２６（非球面データ）
第5面
K= 0.00000E+00, A4= 2.26504E-02, A6= 8.41073E-02, A8=-2.62857E-01 
A10= 3.14420E-01 
第6面
K= 0.00000E+00, A4=-1.34834E-02, A6= 4.62093E-02, A8=-2.07442E-01 
A10= 1.13693E-01 
第18面
K= 0.00000E+00, A4= 2.17740E-02, A6=-7.35368E-03, A8= 1.30486E-02 
A10=-4.66399E-01 
第19面
K= 0.00000E+00, A4=-1.41729E-02, A6= 3.65003E-02, A8=-1.33289E-01 
A10=-4.71288E-01 
第24面
K= 0.00000E+00, A4=-3.59799E-01, A6=-7.36700E-02, A8=-9.45146E-01 
A10= 1.16630E+00 
第25面
K= 0.00000E+00, A4= 3.09139E-02, A6=-2.22593E-01, A8= 1.74404E-01 
A10=-8.22737E-01 
第30面
K= 0.00000E+00, A4=-2.28186E-01, A6=-4.92495E-02, A8= 2.87679E-02 
A10=-3.91269E+00 
第31面
K= 0.00000E+00, A4= 2.18253E-01, A6= 2.55933E-02, A8= 3.20852E+00 
A10=-1.03000E+01
【０１５７】
表  ２７（各種データ）
ズーム比     2.74653
広角      中間      望遠
焦点距離       1.0001    1.6574    2.7468
Ｆナンバー     2.92810   2.92492   2.92476
画角        40.4837   25.6587   15.7203
像高         0.8090    0.8090    0.8090
レンズ全長      4.8227    5.0231    5.9831
ＢＦ        0.38329   0.39756   1.05325
d2           0.0202    0.4172    1.0377
d10          0.4729    0.1064    0.2460
d12          0.4842    0.3085    0.0302
d25          0.0567    0.0739    0.0675
d27          0.2225    0.1904    0.0547
d35          0.0322    0.3784    0.3431
入射瞳位置      1.2533    1.7062    3.0613
射出瞳位置     -1.8886   -2.9631   -3.2058
前側主点位置    1.7244    2.4371    3.4554
後側主点位置    3.8226    3.3657    3.2364
【０１５８】
表  ２８（単レンズデータ）
レンズ     始面     焦点距離
1         1        4.7177
2         3       -1.1825
3         5       -1.8153
4         7        1.1514
5         9       -8.0756
6        11       -1.9389
7        13        1.0318
8        15      -19.4395
9        18       -3.0235
10        20        0.8984
11        22       -0.6555
12        24        1.3258
13        26       -2.5696
14        28        1.0293
15        30       -1.6806
16        32        5.8643
17        34       -1.3836
18        36        2.6071
【０１５９】
表  ２９（ズームレンズ群データ）
群   始面    焦点距離  レンズ構成長    前側主点位置  後側主点位置
1      1     4.71772     0.32360        -0.01154       0.10951
2      3    -1.89201     0.80040        -0.17820      -0.09515
3     11    -1.93892     0.03640        -0.00408       0.01101
4     13     0.98669     0.89790         0.06144       0.35418
5     26    -2.56956     0.03840         0.02209       0.03921
6     28     6.07940     0.83170        -2.64513      -1.46456
7     36     2.60710     0.22230         0.13803       0.24743
【０１６０】
表  ３０（ズームレンズ群倍率）
群   始面    広角       中間       望遠
1      1    0.00000    0.00000    0.00000
2      3   -0.68313   -0.79743   -1.07984
3     11    0.29886    0.30594    0.27654
4     13   -1.04544   -1.30798   -1.85093
5     26    2.18899    2.75699    6.59042
6     28    0.52599    0.46587    0.26391
7     36    0.86262    0.85715    0.60565
【０１６１】
（数値実施例６）
数値実施例６のズームレンズ系は、図１６に示した実施の形態６に対応する。数値実施例６のズームレンズ系の面データを表３１に、非球面データを表３２に、各種データを表３３に、単レンズデータを表３４に、ズームレンズ群データを表３５に、ズームレンズ群倍率を表３６に示す。
【０１６２】
表  ３１（面データ）
面番号         r           d           nd         vd     
物面             ∞                                               
1          1.91180     0.40450     1.59201    67.0               
2          8.17250        可変                        
3          3.54760     0.05660     2.00069    25.5               
4          0.79490     0.45820                                   
5*        -7.04100     0.04450     1.61881    63.9               
6*         1.87640     0.00440                        
7          1.66120     0.24270     1.94595    18.0               
8        -31.65540        可変                        
9*        -1.14430     0.05660     1.71300    53.9    
10*        -6.05170        可変                        
11(絞り)           ∞     0.02430                        
12          1.24410     0.20990     1.95375    32.3    
13         -6.16030     0.11380                                   
14*        -4.08370     0.03430     1.75039    45.5               
15*         8.06760     0.04550                        
16          0.92790     0.29270     1.61800    63.4               
17         -1.28390     0.00040     1.56732    42.8               
18         -1.28390     0.02830     1.93355    23.5               
19          1.14060     0.03160                                   
20*         1.22560     0.10470     1.82600    37.5               
21*        25.28490        可変                                   
22          2.36070     0.02830     1.82265    25.4               
23          1.17040        可変                        
24          1.00820     0.28310     1.59282    68.6    
25         -1.22090     0.00870                                   
26*       -13.11430     0.02830     1.75512    45.6               
27*         1.57970     0.24270                        
28         -0.78850     0.02830     1.57306    41.0               
29         -7.68010        可変                                   
30        -73.66230     0.14280     1.94595    18.0               
31         -1.74790        (BF)                                   
像面             ∞                                               
【０１６３】
表  ３２（非球面データ）
第5面
K= 0.00000E+00, A4=-1.85488E-02, A6=-1.30676E-01, A8= 1.30161E-01 
A10=-2.93996E-01 
第6面
K= 0.00000E+00, A4=-1.01245E-01, A6=-1.21077E-01, A8=-1.49203E-01 
A10= 1.40014E-02 
第9面
K= 0.00000E+00, A4= 1.82305E-02, A6= 6.38599E-02, A8= 5.20333E-02 
A10= 0.00000E+00 
第10面
K= 0.00000E+00, A4=-3.81448E-03, A6= 7.67664E-02, A8= 3.99512E-02 
A10= 0.00000E+00 
第14面
K= 0.00000E+00, A4= 1.96666E-02, A6=-1.44795E-02, A8=-1.94200E-02 
A10=-6.48723E-02 
第15面
K= 0.00000E+00, A4=-2.12646E-02, A6= 9.96076E-03, A8=-1.43539E-01 
A10=-5.70063E-02 
第20面
K= 0.00000E+00, A4=-3.95021E-01, A6=-1.01785E-01, A8=-5.72416E-01 
A10= 1.32066E+00 
第21面
K= 0.00000E+00, A4= 4.46218E-02, A6=-1.55066E-01, A8= 1.04878E-01 
A10= 7.71732E-01 
第26面
K= 0.00000E+00, A4=-2.05696E-01, A6=-3.15883E-01, A8= 4.73596E-01 
A10=-4.33978E+00 
第27面
K= 0.00000E+00, A4= 7.91496E-02, A6=-1.43569E-01, A8= 1.04256E+00 
A10=-3.83383E+00
【０１６４】
表  ３３（各種データ）
ズーム比     2.74642
広角      中間      望遠
焦点距離       0.9998    1.6569    2.7458
Ｆナンバー     2.90404   2.89750   2.91930
画角        41.5611   26.5675   16.1477
像高         0.8090    0.8090    0.8090
レンズ全長      5.3542    5.4558    6.4150
ＢＦ        1.04716   1.40662   1.82613
d2           0.0202    0.4485    1.0068
d8           0.9103    0.3485    0.3640
d10          0.3702    0.2328    0.0447
d21          0.0201    0.0115    0.0536
d23          0.0509    0.0913    0.0712
d29          0.0201    0.0014    0.1334
入射瞳位置      1.4102    2.0028    3.4546
射出瞳位置     -2.3827   -2.7504   -3.6281
前側主点位置    1.9903    2.6613    4.1219
後側主点位置    4.3544    3.7989    3.6692
【０１６５】
表  ３４（単レンズデータ）
レンズ     始面     焦点距離
1         1        4.1165
2         3       -1.0344
3         5       -2.3897
4         7        1.6745
5         9       -1.9887
6        12        1.1005
7        14       -3.6088
8        16        0.9180
9        18       -0.6434
10        20        1.5563
11        22       -2.8523
12        24        0.9777
13        26       -1.8655
14        28       -1.5357
15        30        1.8909
【０１６６】
表  ３５（ズームレンズ群データ）
群   始面    焦点距離  レンズ構成長    前側主点位置  後側主点位置
1      1     4.11653     0.40450        -0.07577       0.08061
2      3    -1.44696     0.80640        -0.10211      -0.00968
3      9    -1.98869     0.05660        -0.00774       0.01566
4     11     1.04703     0.88550         0.00443       0.32079
5     22    -2.85226     0.02830         0.03113       0.04373
6     24    13.26853     0.59110        -4.12346      -2.91515
7     30     1.89087     0.14280         0.07509       0.14458
【０１６７】
表  ３６（ズームレンズ群倍率）
群   始面    広角       中間       望遠
1      1    0.00000    0.00000    0.00000
2      3   -0.59605   -0.72374   -1.00414
3      9    0.33053    0.35262    0.32812
4     11   -1.49595   -2.01908   -2.76112
5     22    3.33652    9.55462   -6.53716
6     24    0.55237    0.31807   -3.18822
7     30    0.44715    0.25704    0.03518
【０１６８】
以下の表３７に、各数値実施例のズームレンズ系における各条件の対応値を示す。
【０１６９】
表  ３７（条件の対応値）
【表１】
2014129187.tif 000004
【０１７０】
以上のように、本開示における技術の例示として、実施の形態を説明した。そのために、添付図面および詳細な説明を提供した。
【０１７１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７３】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。【０１７４】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１７５】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2014129187.tif 000005
【図２】
2014129187.tif 000006
【図３】
2014129187.tif 000007
【図４】
2014129187.tif 000008
【図５】
2014129187.tif 000009
【図６】
2014129187.tif 000010
【図７】
2014129187.tif 000011
【図８】
2014129187.tif 000012
【図９】
2014129187.tif 000013
【図１０】
2014129187.tif 000014
【図１１】
2014129187.tif 000015
【図１２】
2014129187.tif 000016
【図１３】
2014129187.tif 000017
【図１４】
2014129187.tif 000018
【図１５】
2014129187.tif 000019
【図１６】
2014129187.tif 000020
【図１７】
2014129187.tif 000021
【図１８】
2014129187.tif 000022
【図１９】
2014129187.tif 000023
【手続補正書】
【提出日】平成27年8月7日(2015.8.7)
【手続補正１】
【補正対象書類名】明細書
【補正対象項目名】全文
【補正方法】変更
【補正の内容】
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、焦点距離を自在に変化させることができる点で人気がある。
【０００３】
特許文献１は、正負負正正の５群構成で、第３レンズ群と第４レンズ群との間に絞りが配置され、第３レンズ群が１枚の負レンズで構成され、第３レンズ群でフォーカシングを行うズームレンズを開示している。
【０００４】
特許文献２は、正負正正負の５群構成で、広角端から望遠端へのズーミングの際に、第１レンズ群と第５レンズ群とは物体側へ移動し、第４レンズ群を光軸に対してほぼ垂直方向に移動させて像のぶれを補正するズームレンズを開示している。
【０００５】
特許文献３は、正負負の３群と、１つ以上のレンズ群で構成される後続レンズ群とを備え、第３レンズ群でフォーカシングを行うズームレンズを開示している。
【先行技術文献】
【特許文献】
【０００６】
【特許文献１】特開２０１２−１６３９１４号公報
【特許文献２】特開平０７−３１８８６５号公報
【特許文献３】特開２０１２−１７３６５７号公報
【発明の概要】
【発明が解決しようとする課題】
【０００７】
本開示は、サイズが小さく軽量で、結像性能に優れたズームレンズ系を提供する。また本開示は、該ズームレンズ系を含む交換レンズ装置及びカメラシステムを提供する。
【課題を解決するための手段】
【０００８】
本開示におけるズームレンズ系は、
物体側から像側へと順に、
正のパワーを有する第１レンズ群と、
負のパワーを有する第２レンズ群と、
４つ又は５つのレンズ群と開口絞りとで構成された後続レンズ群と
からなり、
撮像時の広角端から望遠端へのズーミングにおいて、隣接するレンズ群同士の間隔が変化し、
前記第１レンズ群は、２枚以下のレンズ素子で構成され、前記ズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足する
ことを特徴とする。
【０００９】
本開示における交換レンズ装置は、
物体側から像側へと順に、
正のパワーを有する第１レンズ群と、
負のパワーを有する第２レンズ群と、
４つ又は５つのレンズ群と開口絞りとで構成された後続レンズ群と
からなり、
撮像時の広角端から望遠端へのズーミングにおいて、隣接するレンズ群同士の間隔が変化し、
前記第１レンズ群は、２枚以下のレンズ素子で構成され、前記ズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１０】
本開示におけるカメラシステムは、
物体側から像側へと順に、
正のパワーを有する第１レンズ群と、
負のパワーを有する第２レンズ群と、
４つ又は５つのレンズ群と開口絞りとで構成された後続レンズ群と
からなり、
撮像時の広角端から望遠端へのズーミングにおいて、隣接するレンズ群同士の間隔が変化し、
前記第１レンズ群は、２枚以下のレンズ素子で構成され、前記ズーミングの際に光軸に沿って移動し、
前記第１レンズ群と前記開口絞りとの間に、３枚以上の負のパワーを有するレンズ素子が配置されており、
以下の条件（１）及び（２）：
０．３０＜｜ＢＦＷ／ＹＷ｜＜１．３９  ・・・（１）
１．１０＜ＳＤＴ／ＳＤＷ＜２．００  ・・・（２）
（ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１１】
本開示におけるズームレンズ系は、サイズが小さく軽量で、結像性能に優れている。
【図面の簡単な説明】
【００１２】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６（数値実施例６）に係るズームレンズ系の無限遠合焦状態を示すレンズ配置図
【図１７】数値実施例６に係るズームレンズ系の無限遠合焦状態の縦収差図
【図１８】数値実施例６に係るズームレンズ系の望遠端における、像ぶれ補正を行っていない基本状態及び像ぶれ補正状態での横収差図
【図１９】実施の形態７に係るレンズ交換式デジタルカメラシステムの概略構成図
【発明を実施するための形態】
【００１３】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を充分に理解するために添付図面および以下の説明を提供するのであって、これらによって請求の範囲に記載の主題を限定することを意図するものではない。
【００１５】
（実施の形態１〜６）
図１、４、７、１０、１３及び１６は、各々実施の形態１〜６に係るズームレンズ系のレンズ配置図であり、いずれも無限遠合焦状態にあるズームレンズ系を表している。
【００１６】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１７】
各図において、レンズ群に付された矢印は、無限遠合焦状態から近接物体合焦状態へのフォーカシングを表す。すなわち、フォーカシングレンズ群が無限遠合焦状態から近接物体合焦状態へのフォーカシングの際に移動する方向を示している。なお各図では、（ａ）図に各レンズ群の符号が記載されているため、便宜上、この各レンズ群の符号の下部にフォーカシングを表す矢印を付しているが、各ズーミング状態において、フォーカシングの際に各レンズ群が移動する方向は、実施の形態ごとに後に具体的に説明する。
【００１８】
実施の形態１、２、５及び６に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第６レンズ群Ｇ６と、正のパワーを有する第７レンズ群Ｇ７とを備える。実施の形態１、２、５及び６に係るズームレンズ系では、ズーミングに際して、各レンズ群の間隔がいずれも変化するように、各レンズ群が光軸に沿った方向にそれぞれ移動する。実施の形態１、２、５及び６に係るズームレンズ系は、これら各レンズ群を所望のパワー配置にすることにより、高い光学性能を保持しつつ、レンズ系全体の小型化を可能にしている。
【００１９】
実施の形態３に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、負のパワーを有する第６レンズ群Ｇ６とを備える。実施の形態３に係るズームレンズ系では、ズーミングに際して、各レンズ群の間隔がいずれも変化するように、各レンズ群が光軸に沿った方向にそれぞれ移動する。実施の形態３に係るズームレンズ系は、これら各レンズ群を所望のパワー配置にすることにより、高い光学性能を保持しつつ、レンズ系全体の小型化を可能にしている。
【００２０】
実施の形態４に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。実施の形態４に係るズームレンズ系では、ズーミングに際して、各レンズ群の間隔がいずれも変化するように、各レンズ群が光軸に沿った方向にそれぞれ移動する。実施の形態４に係るズームレンズ系は、これら各レンズ群を所望のパワー配置にすることにより、高い光学性能を保持しつつ、レンズ系全体の小型化を可能にしている。
【００２１】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００２２】
さらに図１、１０及び１３に示すように、第４レンズ群Ｇ４内に開口絞りＡが設けられており、図４、７及び１６に示すように、第４レンズ群Ｇ４の最物体側に開口絞りＡが設けられている。
【００２３】
（実施の形態１）
第１レンズ群Ｇ１は、物体側に凸面を向けた正メニスカス形状の第１レンズ素子Ｌ１のみからなる。
【００２４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００２５】
第３レンズ群Ｇ３は、像側に凸面を向けた負メニスカス形状の第６レンズ素子Ｌ６のみからなる。
【００２６】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第７レンズ素子Ｌ７と第８レンズ素子Ｌ８とが互いに接合されており、後述する対応数値実施例における面データでは、これら第７レンズ素子Ｌ７と第８レンズ素子Ｌ８との間の接着剤層に面番号１４が付与されている。また、第１０レンズ素子Ｌ１０と第１１レンズ素子Ｌ１１とが互いに接合されており、後述する対応数値実施例における面データでは、これら第１０レンズ素子Ｌ１０と第１１レンズ素子Ｌ１１との間の接着剤層に面番号２１が付与されている。第９レンズ素子Ｌ９は、その両面が非球面であり、第１２レンズ素子Ｌ１２は、その両面が非球面である。
【００２７】
第５レンズ群Ｇ５は、物体側に凸面を向けた負メニスカス形状の第１３レンズ素子Ｌ１３のみからなる。
【００２８】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００２９】
第７レンズ群Ｇ７は、両凸形状の第１８レンズ素子Ｌ１８のみからなる。
【００３０】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は広くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるように、各レンズ群が光軸に沿って移動する。
【００３１】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００３２】
第４レンズ群Ｇ４の一部である第９レンズ素子Ｌ９は、像のぶれを光学的に補正するために光軸に対して垂直方向に移動する像ぶれ補正レンズ群に相当する。
【００３３】
（実施の形態２）
第１レンズ群Ｇ１は、物体側に凸面を向けた正メニスカス形状の第１レンズ素子Ｌ１のみからなる。
【００３４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第３レンズ素子Ｌ３は、その両面が非球面である。
【００３５】
第３レンズ群Ｇ３は、像側に凸面を向けた負メニスカス形状の第５レンズ素子Ｌ５のみからなる。
【００３６】
第４レンズ群Ｇ４は、物体側から像側へと順に、開口絞りＡと、両凸形状の第６レンズ素子Ｌ６と、両凹形状の第７レンズ素子Ｌ７と、両凸形状の第８レンズ素子Ｌ８と、両凹形状の第９レンズ素子Ｌ９と、両凸形状の第１０レンズ素子Ｌ１０とからなる。第８レンズ素子Ｌ８と第９レンズ素子Ｌ９とが互いに接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面であり、第１０レンズ素子Ｌ１０は、その両面が非球面である。
【００３７】
第５レンズ群Ｇ５は、物体側に凸面を向けた負メニスカス形状の第１１レンズ素子Ｌ１１のみからなる。
【００３８】
第６レンズ群Ｇ６は、物体側から像側へと順に、両凸形状の第１２レンズ素子Ｌ１２と、両凹形状の第１３レンズ素子Ｌ１３と、像側に凸面を向けた負メニスカス形状の第１４レンズ素子Ｌ１４とからなる。第１３レンズ素子Ｌ１３は、その両面が非球面である。
【００３９】
第７レンズ群Ｇ７は、両凸形状の第１５レンズ素子Ｌ１５のみからなる。
【００４０】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は広くなり、第３レンズ群Ｇ３と第４レンズ群Ｇ４との間隔は狭くなり、第４レンズ群Ｇ４と第５レンズ群Ｇ５の間隔は広くなり、第５レンズ群Ｇ５と第６レンズ群Ｇ６との間隔は狭くなり、第６レンズ群Ｇ６と第７レンズ群Ｇ７の間隔とは広くなるように、各レンズ群が光軸に沿って移動する。
【００４１】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００４２】
第４レンズ群Ｇ４の一部である第７レンズ素子Ｌ７は、像のぶれを光学的に補正するために光軸に対して垂直方向に移動する像ぶれ補正レンズ群に相当する。
【００４３】
（実施の形態３）
第１レンズ群Ｇ１は、物体側に凸面を向けた正メニスカス形状の第１レンズ素子Ｌ１のみからなる。
【００４４】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４からなる。第３レンズ素子Ｌ３は、その両面が非球面である。
【００４５】
第３レンズ群Ｇ３は、像側に凸面を向けた負メニスカス形状の第５レンズ素子Ｌ５のみからなる。
【００４６】
第４レンズ群Ｇ４は、物体側から像側へと順に、開口絞りＡと、物体側に凸面を向けた負メニスカス形状の第６レンズ素子Ｌ６と、両凸形状の第７レンズ素子Ｌ７と、両凹形状の第８レンズ素子Ｌ８と、両凸形状の第９レンズ素子Ｌ９と、両凹形状の第１０レンズ素子Ｌ１０と、物体側に凸面を向けた正メニスカス形状の第１１レンズ素子Ｌ１１と、両凸形状の第１２レンズ素子Ｌ１２とからなる。第６レンズ素子Ｌ６と第７レンズ素子Ｌ７とが互いに接合されており、後述する対応数値実施例における面データでは、これら第６レンズ素子Ｌ６と第７レンズ素子Ｌ７との間の接着剤層に面番号１３が付与されている。また、第９レンズ素子Ｌ９と第１０レンズ素子Ｌ１０とが互いに接合されており、後述する対応数値実施例における面データでは、これら第９レンズ素子Ｌ９と第１０レンズ素子Ｌ１０との間の接着剤層に面番号１９が付与されている。第１１レンズ素子Ｌ１１は、その両面が非球面であり、第１２レンズ素子Ｌ１２は、その物体側面が非球面である。
【００４７】
第５レンズ群Ｇ５は、物体側に凸面を向けた負メニスカス形状の第１３レンズ素子Ｌ１３のみからなる。第１３レンズ素子Ｌ１３は、その両面が非球面である。
【００４８】
第６レンズ群Ｇ６は、物体側から像側へと順に、像側に凸面を向けた負メニスカス形状の第１４レンズ素子Ｌ１４と、両凸形状の第１５レンズ素子Ｌ１５とからなる。
【００４９】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなるように、各レンズ群が光軸に沿って移動する。
【００５０】
無限遠合焦状態から近接物体合焦状態へのフォーカシングの際に、フォーカシングレンズ群である第３レンズ群Ｇ３は、いずれのズーミング状態でも光軸に沿って物体側へ移動する。
【００５１】
第５レンズ群Ｇ５は、像のぶれを光学的に補正するために光軸に対して垂直方向に移動する像ぶれ補正レンズ群に相当する。
【００５２】
（実施の形態４）
第１レンズ群Ｇ１は、物体側に凸面を向けた正メニスカス形状の第１レンズ素子Ｌ１のみからなる。
【００５３】
第２レンズ群Ｇ２は、物体側から像側へと順に、物体側に凸面を向けた負メニスカス形状の第２レンズ素子Ｌ２と、物体側に凸面を向けた負メニスカス形状の第３レンズ素子Ｌ３と、物体側に凸面を向けた正メニスカス形状の第４レンズ素子Ｌ４とからなる。
【００５４】
第３レンズ群Ｇ３は、像側に凸面を向けた負メニスカス形状の第５レンズ素子Ｌ５のみからなる。第５レンズ素子Ｌ５は、その両面が非球面である。
【００５５】
第４レンズ群Ｇ４は、物体側から像側へと順に、両凸形状の第６レンズ素子Ｌ６と、開口絞りＡと、物体側に凸面を向けた負メニスカス形状の第７レンズ素子Ｌ７と、両凸形状の第８レンズ素子Ｌ８と、像側に凸面を向けた正メニスカス形状の第９レンズ素子Ｌ９とからなる。第６レンズ素子Ｌ６は、その像側面が非球面であり、第８レンズ素子Ｌ８は、その像側面が非球面である。
【００５６】
第５レンズ群Ｇ５は、物体側に凸面を向けた負メニスカス形状の第１０レンズ素子Ｌ１０のみからなる。
【００５７】
第６レンズ群Ｇ６は、物体側から像側へと順に、両凸形状の第１１レンズ素子Ｌ１１と、両凹形状の第１２レンズ素子Ｌ１２と、両凸形状の第１３レンズ素子Ｌ１３とからなる。第１２レンズ素子Ｌ１２と第１３レンズ素子Ｌ１３とが互いに接合されており、後述する対応数値実施例における面データでは、これら第１２レンズ素子Ｌ１２と第１３レンズ素子Ｌ１３との間の接着剤層に面番号２５が付与されている。第１１レンズ素子Ｌ１１は、その両面が非球面である。
【００５８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は狭くなり、第５レンズ群Ｇ５と第６レンズ群Ｇ６との間隔は広くなるように、各レンズ群が光軸に沿って移動する。
【００５９】
無限遠合焦状態から近接物体合焦状態へのフォーカシングの際に、フォーカシングレンズ群である第５レンズ群Ｇ５は、いずれのズーミング状態でも光軸に沿って像側へ移動する。
【００６０】
第４レンズ群Ｇ４の一部である第８レンズ素子Ｌ８は、像のぶれを光学的に補正するために光軸に対して垂直方向に移動する像ぶれ補正レンズ群に相当する。
【００６１】
（実施の形態５）
第１レンズ群Ｇ１は、物体側に凸面を向けた正メニスカス形状の第１レンズ素子Ｌ１のみからなる。
【００６２】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４と、像側に凸面を向けた負メニスカス形状の第５レンズ素子Ｌ５とからなる。第３レンズ素子Ｌ３は、その両面が非球面である。
【００６３】
第３レンズ群Ｇ３は、像側に凸面を向けた負メニスカス形状の第６レンズ素子Ｌ６のみからなる。
【００６４】
第４レンズ群Ｇ４は、物体側から像側へと順に、両凸形状の第７レンズ素子Ｌ７と、像側に凸面を向けた負メニスカス形状の第８レンズ素子Ｌ８と、開口絞りＡと、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。第７レンズ素子Ｌ７と第８レンズ素子Ｌ８とが互いに接合されており、後述する対応数値実施例における面データでは、これら第７レンズ素子Ｌ７と第８レンズ素子Ｌ８との間の接着剤層に面番号１４が付与されている。また、第１０レンズ素子Ｌ１０と第１１レンズ素子Ｌ１１とが互いに接合されており、後述する対応数値実施例における面データでは、これら第１０レンズ素子Ｌ１０と第１１レンズ素子Ｌ１１との間の接着剤層に面番号２１が付与されている。第９レンズ素子Ｌ９は、その両面が非球面であり、第１２レンズ素子Ｌ１２は、その両面が非球面である。
【００６５】
第５レンズ群Ｇ５は、物体側に凸面を向けた負メニスカス形状の第１３レンズ素子Ｌ１３のみからなる。
【００６６】
第６レンズ群Ｇ６は、物体側から像側へと順に、両凸形状の第１４レンズ素子Ｌ１４と、両凹形状の第１５レンズ素子Ｌ１５と、物体側に凸面を向けた正メニスカス形状の第１６レンズ素子Ｌ１６と、像側に凸面を向けた負メニスカス形状の第１７レンズ素子Ｌ１７とからなる。第１５レンズ素子Ｌ１５は、その両面が非球面である。
【００６７】
第７レンズ群Ｇ７は、像側に凸面を向けた正メニスカス形状の第１８レンズ素子Ｌ１８のみからなる。
【００６８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は狭くなり、第６レンズ群Ｇ６と第７レンズ群Ｇ７との間隔は広くなるよう、各レンズ群が光軸に沿って移動する。
【００６９】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００７０】
第４レンズ群Ｇ４の一部である第９レンズ素子Ｌ９は、像のぶれを光学的に補正するために光軸に対して垂直方向に移動する像ぶれ補正レンズ群に相当する。
【００７１】
（実施の形態６）
第１レンズ群Ｇ１は、物体側に凸面を向けた正メニスカス形状の第１レンズ素子Ｌ１のみからなる。
【００７２】
第２レンズ群Ｇ２は、物体側から像側へと順に、物体側に凸面を向けた負メニスカス形状の第２レンズ素子Ｌ２と、両凹形状の第３レンズ素子Ｌ３と、両凸形状の第４レンズ素子Ｌ４とからなる。第３レンズ素子Ｌ３は、その両面が非球面である。
【００７３】
第３レンズ群Ｇ３は、像側に凸面を向けた負メニスカス形状の第５レンズ素子Ｌ５のみからなる。
【００７４】
第４レンズ群Ｇ４は、物体側から像側へと順に、開口絞りＡと、両凸形状の第６レンズ素子Ｌ６と、両凹形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０とからなる。第８レンズ素子Ｌ８と第９レンズ素子Ｌ９とが互いに接合されており、後述する対応数値実施例における面データでは、これら第８レンズ素子Ｌ８と第９レンズ素子Ｌ９との間の接着剤層に面番号１７が付与されている。第７レンズ素子Ｌ７は、その両面が非球面であり、第１０レンズ素子Ｌ１０は、その両面が非球面である。
【００７５】
第５レンズ群Ｇ５は、物体側に凸面を向けた負メニスカス形状の第１１レンズ素子Ｌ１１のみからなる。
【００７６】
第６レンズ群Ｇ６は、物体側から像側へと順に、両凸形状の第１２レンズ素子Ｌ１２と、両凹形状の第１３レンズ素子Ｌ１３と、像側に凸面を向けた負メニスカス形状の第１４レンズ素子Ｌ１４とからなる。第１３レンズ素子Ｌ１３は、その両面が非球面である。
【００７７】
第７レンズ群Ｇ７は、像側に凸面を向けた正メニスカス形状の第１５レンズ素子Ｌ１５のみからなる。
【００７８】
撮像時の広角端から望遠端へのズーミングの際に、第１レンズ群Ｇ１と第２レンズ群Ｇ２との間隔は広くなり、第２レンズ群Ｇ２と第３レンズ群Ｇ３との間隔は狭くなり、第３レンズ群Ｇ３と第４レンズ群Ｇ４との間隔は狭くなり、第４レンズ群Ｇ４と第５レンズ群Ｇ５との間隔は広くなり、第５レンズ群Ｇ５と第６レンズ群Ｇ６との間隔は広くなり、第６レンズ群Ｇ６と第７レンズ群Ｇ７との間隔は広くなるように、各レンズ群が光軸に沿って移動する。
【００７９】
無限遠合焦状態から近接物体合焦状態へのフォーカシングの際に、フォーカシングレンズ群である第３レンズ群Ｇ３は、光軸に沿って物体側へ移動し、もう１つのフォーカシングレンズ群である第５レンズ群Ｇ５は、光軸に沿って像側へ移動する。
【００８０】
第４レンズ群Ｇ４の一部である第７レンズ素子Ｌ７は、像のぶれを光学的に補正するために光軸に対して垂直方向に移動する像ぶれ補正レンズ群に相当する。
【００８１】
このように、実施の形態１〜６に係るズームレンズ系は、物体側から像側へと順に、正のパワーを有する第１レンズ群Ｇ１と、負のパワーを有する第２レンズ群Ｇ２と、３つ以上のレンズ群及び開口絞りＡで構成された後続レンズ群とからなる。
【００８２】
実施の形態１〜６に係るズームレンズ系では、第１レンズ群Ｇ１が、正のパワーを有するレンズ素子を含む２枚以下のレンズ素子で構成されている。これにより、レンズ全長の短縮が可能となる。
【００８３】
さらには、第１レンズ群Ｇ１が正のパワーを有するレンズ素子１枚で構成されていることで、レンズ全長の短縮効果をより一層高めることが可能となる。
【００８４】
実施の形態１〜６に係るズームレンズ系では、第２レンズ群Ｇ２が、物体側から像側へと順に、負のパワーを有するレンズ素子２枚と正のパワーを有するレンズ素子１枚とを含んでいる。これにより、ズーム全域で像面湾曲を補正することができ、光学性能の向上が可能となる。
【００８５】
実施の形態１〜６に係るズームレンズ系では、後続レンズ群のうち物体側から２番目に配置されたレンズ群、すなわち第４レンズ群Ｇ４が開口絞りＡを有し、該第４レンズ群Ｇ４は、両凸形状のレンズ素子を２枚以上含む構成である。これにより、軸上光束が広がる開口絞りＡ付近にて、球面収差を効果的に補正することができる。
【００８６】
実施の形態１〜６に係るズームレンズ系では、撮像時の広角端から望遠端へのズーミングの際に、広角端での第１レンズ群Ｇ１と第２レンズ群Ｇ２との間隔よりも望遠端での該間隔の方が長くなり、広角端での第２レンズ群Ｇ２と第３レンズ群Ｇ３との間隔よりも望遠端での該間隔の方が短くなるように、各レンズ群が光軸に沿って物体側へ移動する。すなわち、ズーミングの際に光軸に沿って移動する全てのレンズ群が、広角端での位置よりも望遠端での位置が像面に対して物体側となるように移動する。なお、該ズーミングの際に、開口絞りＡは第４レンズ群Ｇ４と共に光軸に沿って移動する。
【００８７】
実施の形態１〜６に係るズームレンズ系では、第１レンズ群Ｇ１と開口絞りＡとの間に、３枚以上の負のパワーを有するレンズ素子が配置されている。
【００８８】
大口径のズームレンズ系の場合、一般に、広角端での明るさと同じ明るさを望遠端で確保するためには、開口絞りＡを広角端側よりも望遠端側で広く開ける必要があるが、その結果、望遠端で球面収差が多く発生し、光学性能に悪影響を及ぼす。しかしながら、第１レンズ群Ｇ１と開口絞りＡとの間に３枚以上の負のパワーを有するレンズ素子を配置することによって、望遠端で発生する球面収差を充分に補正することが可能となる。
【００８９】
実施の形態１〜６に係るズームレンズ系では、撮像時の広角端から望遠端へのズーミングの際に、第１レンズ群Ｇ１が光軸に沿って移動する。これにより、第１レンズ群Ｇ１よりも像側に配置されたレンズ群の光線高を小さくすることができる。その結果、第１レンズ群Ｇ１よりも像側に配置されたレンズ群の小径化が実現され、さらには、インナーフォーカス方式を採用する光学系において、フォーカシングレンズ群の小径化及び軽量化も可能となる。
【００９０】
実施の形態１〜６に係るズームレンズ系では、撮像時の広角端から望遠端へのズーミングの際に、第２レンズ群Ｇ２が光軸に沿って移動する。これにより、ズーム全域で像面湾曲を補正することができ、結像性能の向上が可能となる。
【００９１】
実施の形態１〜６に係るズームレンズ系では、撮像時の広角端から望遠端へのズーミングの際に、第３レンズ群Ｇ３が光軸に沿って移動する。これにより、ズームレンズ系の小型化を図りつつ、結像性能の向上が可能となる。
【００９２】
実施の形態１〜６に係るズームレンズ系は、全系の振動による像点移動を補正する、すなわち、手ぶれ、振動等による像のぶれを光学的に補正するために光軸に対して垂直方向に移動する、１枚以上のレンズ素子で構成された像ぶれ補正レンズ群を有する。さらに、実施の形態１〜６に係るズームレンズ系は、無限遠合焦状態から近接物体合焦状態へのフォーカシングの際に光軸に沿って移動する、１枚以上のレンズ素子で構成されたフォーカシングレンズ群を１つ以上有する。
【００９３】
実施の形態１〜６に係るズームレンズ系では、後続レンズ群のうちいずれかのレンズ群又はいずれかのレンズ群の一部が像ぶれ補正レンズ群であり、該像ぶれ補正レンズ群は、開口絞りＡよりも像側に配置されている。これにより、像ぶれ補正レンズ群のレンズ径の小型化が可能となる。
【００９４】
実施の形態１〜６に係るズームレンズ系では、像ぶれ補正レンズ群が１枚のレンズ素子で構成されている。これにより、像ぶれ補正レンズ群の軽量化が実現され、像ぶれ補正機構の構成の簡略化が可能となる。その結果、レンズ鏡筒の小型化も実現される。
【００９５】
さらに、像ぶれ補正レンズ群よりも像側に正のパワーを有するレンズ群を１つ以上配置することで、像ぶれ補正時の光学性能をより良好に維持することができる。
【００９６】
実施の形態１〜６に係るズームレンズ系では、無限遠合焦状態から近接物体合焦状態へのフォーカシングの際に光軸に沿って移動するフォーカシングレンズ群が２枚以下のレンズ素子で構成されている。これにより、フォーカシングレンズ群の軽量化が実現される。
【００９７】
さらにフォーカシングレンズ群は、単レンズ素子のみで構成されていることが有益である。この場合、軽量なフォーカシングレンズ群によるフォーカシングの高速応答が期待できる。
【００９８】
実施の形態１〜３、５及び６に係るズームレンズ系では、後続レンズ群のうち最物体側に配置されたレンズ群、すなわち第３レンズ群Ｇ３が、無限遠合焦状態から近接物体合焦状態へのフォーカシングの際に光軸に沿って移動するフォーカシングレンズ群である。
【００９９】
実施の形態１、２及び４〜６に係るズームレンズ系では、後続レンズ群のうち開口絞りＡよりも像側に配置されたレンズ群がフォーカシングレンズ群である。
【０１００】
実施の形態１、２、５及び６に係るズームレンズ系では、後続レンズ群のうち２つ以上のレンズ群がフォーカシングレンズ群である。これにより、近接物体合焦状態での光学性能を良好に維持することが可能となる。
【０１０１】
実施の形態１〜６に係るズームレンズ系では、後続レンズ群のうち最像側に配置されたレンズ素子が正のパワーを有する。これにより、像面Ｓに配置された撮像素子に入射する光線の入射角度を緩くすることが可能となる。
【０１０２】
以下、例えば実施の形態１〜６に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【０１０３】
例えば実施の形態１〜６に係るズームレンズ系のように、物体側から像側へと順に、正のパワーを有する第１レンズ群と、負のパワーを有する第２レンズ群と、４つ又は５つのレンズ群及び開口絞りで構成された後続レンズ群とからなり、撮像時の広角端から望遠端へのズーミングにおいて、隣接するレンズ群同士の間隔が変化し、前記第１レンズ群は、２枚以下のレンズ素子で構成され、前記ズーミングの際に光軸に沿って移動し、前記第１レンズ群と前記開口絞りとの間に、３枚以上の負のパワーを有するレンズ素子が配置されている（以下、このレンズ構成を、実施の形態の基本構成という）ズームレンズ系は、以下の条件（１）及び（２）を満足する。
０．３０＜｜ＢＦＷ／ＹＷ｜＜１．３９  ・・・（１）
１．１０＜ＳＤＴ／ＳＤＷ＜２．００  ・・・（２）
ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である。
【０１０４】
前記条件（１）は、広角端におけるバックフォーカス、すなわち最像側に配置されたレンズ素子の像側面の面頂から像面までの距離と、広角端における対角像高との比を規定する条件である。実施の形態１〜６に係るズームレンズ系は、条件（１）を満足するので、光学性能を良好に維持しながら、レンズ全長の短縮化が実現されている。
【０１０５】
条件（１）の上限を上回ると、広角端における対角像高に対して、バックフォーカスが長くなり、撮像素子に入射する光線の入射角度は緩くなる反面、レンズ全長が長くなり、ズームレンズ系の小型化を達成することが困難となる。条件（１）の下限を下回ると、撮像素子に入射する光線の入射角度の傾斜が大きくなり、高い光学性能を維持することが困難となる。
【０１０６】
以下の条件（１）’及び（１）’’の少なくとも１つを満足することにより、前記効果をさらに奏功させることができる。
０．４５＜｜ＢＦＷ／ＹＷ｜  ・・・（１）’
｜ＢＦＷ／ＹＷ｜＜１．３０  ・・・（１）’’
【０１０７】
前記条件（２）は、望遠端における最大開口絞り径と広角端における最大開口絞り径との比を規定する条件である。実施の形態１〜６に係るズームレンズ系は、条件（２）を満足するので、広角端から望遠端へのズーミングの際に、明るさの条件を一定に揃えた撮像を可能とする。
【０１０８】
条件（２）の上限を上回ると、大口径化に付随して望遠端で球面収差やコマ収差が多く発生し、広角端での光学性能との差が著しくなる。条件（２）の下限を下回ると、広角端での光量と望遠端での光量との差が拡大し、広角端から望遠端へのズーミングの際に、明るさの条件を一定に揃えた撮像には不適切となる。
【０１０９】
以下の条件（２−１）’及び（２−１）’’の少なくとも１つを満足することにより、前記効果をさらに奏功させることができる。
１．２０＜ＳＤＴ／ＳＤＷ  ・・・（２−１）’
ＳＤＴ／ＳＤＷ＜１．８０  ・・・（２−１）’’
【０１１０】
さらに以下の条件（２−２）’及び（２−２）’’の少なくとも１つを満足することにより、前記効果をより一層奏功させることができる。
１．３０＜ＳＤＴ／ＳＤＷ  ・・・（２−２）’
ＳＤＴ／ＳＤＷ＜１．７０  ・・・（２−２）’’
【０１１１】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１１２】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【０１１３】
（実施の形態７）
図１９は、実施の形態７に係るレンズ交換式デジタルカメラシステムの概略構成図である。
【０１１４】
本実施の形態７に係るレンズ交換式デジタルカメラシステム１００は、カメラ本体１０１と、カメラ本体１０１に着脱自在に接続される交換レンズ装置２０１とを備える。
【０１１５】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るズームレンズ系を用いた場合を図示している。
【０１１６】
本実施の形態７では、実施の形態１〜６いずれかに係るズームレンズ系２０２を用いているので、コンパクトで結像性能に優れた交換レンズ装置を低コストで実現することができる。また、本実施の形態７に係るカメラシステム１００全体の小型化及び低コスト化も達成することができる。なお、これら実施の形態１〜６に係るズームレンズ系は、全てのズーミング域を使用する必要はない。すなわち、所望のズーミング域に応じて、光学性能が確保されている範囲を切り出し、以下の対応する数値実施例１〜６で説明するズームレンズ系よりも低倍率のズームレンズ系として使用してもよい。
【０１１７】
以上のように、本出願において開示する技術の例示として、実施の形態７を説明した。しかしながら、本開示における技術は、これに限定されず、適宜、変更、置き換え、付加、省略などを行った実施の形態にも適用可能である。
【０１１８】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014129187.tif 000024
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１１９】
図２、５、８、１１、１４及び１７は、各々数値実施例１〜６に係るズームレンズ系の無限遠合焦状態の縦収差図である。
【０１２０】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２１】
図３、６、９、１２、１５及び１８は、各々数値実施例１〜６に係るズームレンズ系の望遠端における横収差図である。
【０１２２】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１２３】
なお、各数値実施例のズームレンズ系について、望遠端における、像ぶれ補正状態での像ぶれ補正レンズ群の光軸と垂直な方向への移動量（ｍｍ）は、以下に示すとおりである。
数値実施例    移動量（ｍｍ）
１            ０．０１４
２            ０．０１４
３            ０．０１４
４            ０．０１４
５            ０．０１４
６            ０．０１４
【０１２４】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１２５】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１２６】
（数値実施例１）
数値実施例１のズームレンズ系は、図１に示した実施の形態１に対応する。数値実施例１のズームレンズ系の面データを表１に、非球面データを表２に、各種データを表３に、単レンズデータを表４に、ズームレンズ群データを表５に、ズームレンズ群倍率を表６に示す。
【０１２７】
表  １（面データ）
面番号         r           d           nd         vd                
物面             ∞                                               
1          2.08010     0.29530     1.59349    67.0               
2         10.38890        可変                                   
3          3.02610     0.05660     2.00069    25.5               
4          0.78610     0.33790                                   
5*        -2.80650     0.04450     1.61881    63.9               
6*         2.11510     0.00430                                   
7          1.52320     0.16950     1.92049    20.4               
8         -3.44070     0.03350                                   
9         -1.89360     0.03010     1.93985    31.6               
10         -2.43920        可変                                   
11         -1.08360     0.03640     1.71300    53.9               
12         -4.95280        可変                                   
13          1.24260     0.19590     1.95375    32.3               
14         -5.24890     0.00040     1.56732    42.8               
15         -5.24890     0.02830     1.91285    18.6               
16         -5.77800     0.04050                                   
17(絞り)           ∞     0.08320                                   
18*        -5.77460     0.02830     1.77250    49.5               
19*         3.62930     0.04050                                   
20          0.86250     0.27560     1.61800    63.4               
21         -1.31230     0.00040     1.56732    42.8               
22         -1.31230     0.02830     1.93194    23.1               
23          1.12040     0.02820                                   
24*         1.12950     0.11290     1.85135    40.1               
25*      -139.70570        可変                                   
26          5.47530     0.02830     1.80518    25.5               
27          1.53880        可変                                   
28          0.95210     0.34050     1.59282    68.6               
29         -1.40710     0.02080                                   
30*       -16.27190     0.02930     1.76801    49.2               
31*         1.52520     0.07240                                   
32          3.72460     0.05730     1.70656    25.4               
33          7.11800     0.19660                                   
34         -0.77810     0.02830     1.62217    62.7               
35        -21.44740        可変                                   
36          5.15790     0.16480     1.94595    18.0               
37         -3.36610        (BF)                                   
像面             ∞                                               
【０１２８】
表  ２（非球面データ）
第5面
K= 0.00000E+00, A4= 1.99113E-02, A6= 3.67766E-02, A8= 1.45427E-01 
A10=-2.90987E-01 
第6面
K= 0.00000E+00, A4=-7.04614E-02, A6=-4.00806E-03, A8=-7.44474E-02 
A10=-3.28602E-01 
第18面
K= 0.00000E+00, A4= 2.20636E-02, A6=-1.98617E-02, A8= 9.51305E-02 
A10=-5.27705E-01 
第19面
K= 0.00000E+00, A4=-1.99548E-02, A6= 5.35999E-02, A8=-2.02944E-01 
A10=-2.72783E-01 
第24面
K= 0.00000E+00, A4=-3.89066E-01, A6=-9.49243E-02, A8=-8.66886E-01 
A10= 1.87708E+00 
第25面
K= 0.00000E+00, A4= 5.93174E-02, A6=-2.15146E-01, A8= 2.50322E-01 
A10=-1.04512E-03 
第30面
K= 0.00000E+00, A4=-2.09188E-01, A6=-2.15261E-01, A8= 5.66262E-02 
A10=-3.91742E+00 
第31面
K= 0.00000E+00, A4= 1.89495E-01, A6= 2.03738E-02, A8= 2.29840E+00 
A10=-8.10091E+00
【０１２９】
表  ３（各種データ）
ズーム比     2.74588
広角      中間      望遠
焦点距離       0.9999    1.6569    2.7455
Ｆナンバー     2.92252   2.92090   2.92378
画角        41.4050   26.2253   16.1714
像高         0.8090    0.8090    0.8090
レンズ全長      4.4370    4.7915    5.8229
ＢＦ        0.48280   0.89769   1.15552
d2           0.0202    0.3185    1.0025
d10          0.2496    0.2528    0.2950
d12          0.5669    0.2340    0.0663
d25          0.0417    0.0861    0.0599
d27          0.2467    0.0871    0.0557
d35          0.0202    0.1064    0.3791
入射瞳位置      1.1177    1.5373    3.0905
射出瞳位置     -1.7741   -2.2368   -3.2710
前側主点位置    1.5535    1.9672    3.5306
後側主点位置    3.4371    3.1346    3.0774
【０１３０】
表  ４（単レンズデータ）
レンズ     始面     焦点距離
1         1        4.3250
2         3       -1.0748
3         5       -1.9424
4         7        1.1661
5         9       -9.2548
6        11       -1.9530
7        13        1.0692
8        15      -64.4375
9        18       -2.8812
10        20        0.8850
11        22       -0.6449
12        24        1.3166
13        26       -2.6667
14        28        1.0123
15        30       -1.8144
16        32       10.9806
17        34       -1.2984
18        36        2.1737
【０１３１】
表  ５（ズームレンズ群データ）
群   始面    焦点距離  レンズ構成長    前側主点位置  後側主点位置
1      1     4.32503     0.29530        -0.04579       0.06662
2      3    -1.75466     0.67640        -0.16381      -0.10835
3     11    -1.95305     0.03640        -0.00597       0.00909
4     13     0.99667     0.86250         0.03605       0.32659
5     26    -2.66674     0.02830         0.02188       0.03445
6     28     9.79946     0.74520        -4.39438      -2.69104
7     36     2.17366     0.16480         0.05173       0.13104
【０１３２】
表  ６（ズームレンズ群倍率）
群   始面    広角       中間       望遠
1      1    0.00000    0.00000    0.00000
2      3   -0.70602   -0.80231   -1.16744
3     11    0.32688    0.31772    0.28595
4     13   -1.05108   -1.57399   -1.88922
5     26    2.18233    3.57852    6.58747
6     28    0.57286    0.46688    0.33739
7     36    0.76236    0.57148    0.45287
【０１３３】
（数値実施例２）
数値実施例２のズームレンズ系は、図４に示した実施の形態２に対応する。数値実施例２のズームレンズ系の面データを表７に、非球面データを表８に、各種データを表９に、単レンズデータを表１０に、ズームレンズ群データを表１１に、ズームレンズ群倍率を表１２に示す。
【０１３４】
表  ７（面データ）
面番号         r           d           nd         vd     
物面             ∞                                               
1          2.01140     0.28310     1.59201    67.0               
2         10.66470        可変                        
3          2.73270     0.05660     2.00069    25.5               
4          0.76300     0.37190                                   
5*        -2.95210     0.04450     1.61881    63.9               
6*         1.94180     0.00400                        
7          1.44430     0.16670     1.92286    20.9               
8         -6.58280        可変                        
9         -1.08290     0.05660     1.71300    53.9    
10         -5.05690        可変                                   
11(絞り)           ∞     0.02430                        
12          1.21810     0.18570     1.95375    32.3    
13         -6.11440     0.14290                                   
14*        -6.08100     0.02830     1.75039    45.5               
15*         3.42180     0.04040                        
16          0.85060     0.26610     1.61800    63.4               
17         -1.31580     0.00040     1.56732    42.8               
18         -1.31580     0.02840     1.93136    21.8               
19          1.15990     0.02740                                   
20*         1.26140     0.11010     1.84434    32.8               
21*        -9.43860        可変                        
22          7.84100     0.02830     1.80448    28.0               
23          1.50530        可変                                   
24          0.94160     0.29010     1.59282    68.6    
25         -1.30340     0.02270                                   
26*       -13.20090     0.02850     1.75512    45.6               
27*         1.55780     0.32690                        
28         -0.81950     0.02830     1.62185    62.8               
29       -427.39830        可変                                   
30          4.12120     0.18560     1.94595    18.0               
31         -3.52280        (BF)                                   
像面             ∞                                               
【０１３５】
表  ８（非球面データ）
第5面
K= 0.00000E+00, A4= 1.30353E-02, A6= 2.74843E-02, A8= 1.78636E-01 
A10=-6.25695E-01 
第6面
K= 0.00000E+00, A4=-5.91672E-02, A6= 4.55126E-02, A8=-5.25365E-02 
A10=-6.27117E-01 
第14面
K= 0.00000E+00, A4= 1.96831E-02, A6= 1.81108E-03, A8= 1.13946E-01 
A10=-4.69434E-01 
第15面
K= 0.00000E+00, A4=-1.55157E-02, A6= 4.05881E-02, A8=-1.85673E-01 
A10=-7.69621E-02 
第20面
K= 0.00000E+00, A4=-4.07338E-01, A6=-1.35689E-01, A8=-9.88237E-01 
A10= 2.38053E+00 
第21面
K= 0.00000E+00, A4= 6.57462E-02, A6=-1.73032E-01, A8= 4.45039E-01 
A10=-2.06507E-01 
第26面
K= 0.00000E+00, A4=-2.24771E-01, A6=-3.04262E-01, A8=-5.10086E-01 
A10=-4.44251E+00 
第27面
K= 0.00000E+00, A4= 2.20376E-01, A6=-4.02583E-02, A8= 1.93266E+00 
A10=-8.82096E+00
【０１３６】
表  ９（各種データ）
ズーム比     2.74621
広角      中間      望遠
焦点距離       0.9998    1.6570    2.7457
Ｆナンバー     2.90317   2.90253   2.89764
画角        40.5303   26.0227   16.0223
像高         0.8090    0.8090    0.8090
レンズ全長      4.3904    4.6156    5.6310
ＢＦ        0.48591   0.89635   1.05888
d2           0.0201    0.3242    1.0290
d8           0.3394    0.2498    0.2837
d10          0.5198    0.1908    0.0404
d21          0.0405    0.1155    0.0850
d23          0.2167    0.0871    0.0700
d29          0.0202    0.0040    0.3162
入射瞳位置      1.0936    1.4478    3.0389
射出瞳位置     -1.9326   -2.1813   -3.3408
前側主点位置    1.5760    1.8458    3.5276
後側主点位置    3.3906    2.9586    2.8852
【０１３７】
表  １０（単レンズデータ）
レンズ     始面     焦点距離
1         1        4.1370
2         3       -1.0733
3         5       -1.8863
4         7        1.2964
5         9       -1.9442
6        12        1.0783
7        14       -2.9143
8        16        0.8771
9        18       -0.6583
10        20        1.3241
11        22       -2.3203
12        24        0.9687
13        26       -1.8437
14        28       -1.3204
15        30        2.0318
【０１３８】
表  １１（ズームレンズ群データ）
群   始面    焦点距離  レンズ構成長    前側主点位置  後側主点位置
1      1     4.13696     0.28310        -0.04084       0.06657
2      3    -1.76452     0.64370        -0.17083      -0.13750
3      9    -1.94419     0.05660        -0.00906       0.01430
4     11     0.96973     0.85400         0.07671       0.33229
5     22    -2.32032     0.02830         0.01945       0.03203
6     24    13.50174     0.69650        -6.15225      -3.92947
7     30     2.03180     0.18560         0.05204       0.14112
【０１３９】
表  １２（ズームレンズ群倍率）
群   始面    広角       中間       望遠
1      1    0.00000    0.00000    0.00000
2      3   -0.76498   -0.88114   -1.35969
3      9    0.31510    0.30932    0.27139
4     11   -0.96910   -1.42004   -1.59963
5     22    2.33791    3.68192    5.45272
6     24    0.59887    0.52345    0.45127
7     30    0.73896    0.53695    0.45695
【０１４０】
（数値実施例３）
数値実施例３のズームレンズ系は、図７に示した実施の形態３に対応する。数値実施例３のズームレンズ系の面データを表１３に、非球面データを表１４に、各種データを表１５に、単レンズデータを表１６に、ズームレンズ群データを表１７に、ズームレンズ群倍率を表１８に示す。
【０１４１】
表  １３（面データ）
面番号         r           d           nd         vd     
物面             ∞                                               
1          2.55730     0.24270     1.59357    67.0               
2         47.36080        可変                        
3          5.86950     0.05660     1.94595    18.0               
4          0.93550     0.40300                                   
5*        -3.32240     0.04450     1.59201    67.0               
6*         1.90730     0.00990                        
7          1.46090     0.20740     1.94595    18.0               
8         -6.03230        可変                        
9         -1.21430     0.05660     1.69027    56.0    
10       -106.07940        可変                                   
11(絞り)           ∞     0.01100                        
12          1.13530     0.02890     1.81518    20.9    
13          1.00350     0.00040     1.56732    42.8               
14          1.00350     0.24530     1.95069    31.1               
15         -4.70780     0.18390                                   
16         -1.89040     0.02840     1.78546    23.9               
17          5.82330     0.02060                                   
18          0.80630     0.26880     1.62105    62.8               
19         -1.31440     0.00040     1.56732    42.8               
20         -1.31440     0.02840     1.97890    23.5               
21          1.08670     0.03940                                   
22*         1.37070     0.07670     1.88660    35.0               
23*        11.49460     0.07410                        
24*         1.13900     0.21500     1.49710    81.6    
25         -1.09300        可変                                   
26*         3.31330     0.02950     1.73152    52.6    
27*         1.06230        可変                                   
28         -0.56580     0.02830     1.60236    64.7               
29         -1.94760     0.03110                                   
30         19.47870     0.13270     1.94595    18.0               
31         -2.39350        (BF)                                   
像面             ∞                                               
【０１４２】
表  １４（非球面データ）
第5面
K= 0.00000E+00, A4= 7.37167E-03, A6=-1.52598E-02, A8= 4.39930E-03 
A10=-5.83311E-02 
第6面
K= 0.00000E+00, A4=-8.11174E-03, A6=-2.43267E-02, A8=-6.16672E-02 
A10= 2.65934E-02 
第22面
K= 0.00000E+00, A4=-5.17561E-01, A6=-3.00951E-01, A8=-3.40162E-01 
A10= 2.32543E+00 
第23面
K= 0.00000E+00, A4= 1.56301E-01, A6=-1.20791E-02, A8=-2.70975E-01 
A10=-4.94112E-01 
第24面
K= 0.00000E+00, A4= 1.65585E-01, A6= 2.51091E-01, A8=-1.69018E+00 
A10=-2.77300E-01 
第26面
K= 0.00000E+00, A4= 6.74970E-02, A6= 2.28148E-01, A8= 5.15559E-01 
A10=-3.39178E+00 
第27面
K= 0.00000E+00, A4= 1.58173E-01, A6= 5.53141E-01, A8= 1.22659E+00 
A10= 1.32439E+00
【０１４３】
表  １５（各種データ）
ズーム比     2.74561
広角      中間      望遠
焦点距離       0.9999    1.6568    2.7453
Ｆナンバー     2.90358   2.90044   2.98617
画角        41.6127   25.9705   16.0424
像高         0.8090    0.8090    0.8090
レンズ全長      4.3515    4.7499    5.4060
ＢＦ        0.46363   0.87632   1.31477
d2           0.0201    0.4192    0.9631
d8           0.3375    0.3476    0.2430
d10          0.6246    0.2421    0.0293
d25          0.0118    0.0689    0.0633
d27          0.4303    0.3322    0.3289
入射瞳位置      1.1256    1.6745    2.6169
射出瞳位置     -1.7200   -2.0854   -2.5210
前側主点位置    1.5441    2.0148    2.3722
後側主点位置    3.3516    3.0931    2.6607
【０１４４】
表  １６（単レンズデータ）
レンズ     始面     焦点距離
1         1        4.5450
2         3       -1.1831
3         5       -2.0403
4         7        1.2602
5         9       -1.7799
6        12      -11.7620
7        14        0.8887
8        16       -1.8140
9        18        0.8457
10        20       -0.6042
11        22        1.7491
12        24        1.1591
13        26       -2.1494
14        28       -1.3342
15        30        2.2600
【０１４５】
表  １７（ズームレンズ群データ）
群   始面    焦点距離  レンズ構成長    前側主点位置  後側主点位置
1      1     4.54504     0.24270        -0.00868       0.08203
2      3    -2.58904     0.72140        -0.39296      -0.43460
3      9    -1.77993     0.05660        -0.00039       0.02272
4     11     0.90730     1.22130         0.49761       0.48353
5     26    -2.14941     0.02950         0.02522       0.03758
6     28    -3.72827     0.19210        -0.20046      -0.14260
【０１４６】
表  １８（ズームレンズ群倍率）
群   始面    広角       中間       望遠
1      1    0.00000    0.00000    0.00000
2      3   -1.19410   -1.46348   -2.11316
3      9    0.19879    0.18424    0.15838
4     11   -0.54171   -0.68824   -0.78792
5     26    1.40908    1.48281    1.58802
6     28    1.21413    1.32482    1.44242
【０１４７】
（数値実施例４）
数値実施例４のズームレンズ系は、図１０に示した実施の形態４に対応する。数値実施例４のズームレンズ系の面データを表１９に、非球面データを表２０に、各種データを表２１に、単レンズデータを表２２に、ズームレンズ群データを表２３に、ズームレンズ群倍率を表２４に示す。
【０１４８】
表  １９（面データ）
面番号         r           d           nd         vd     
物面             ∞                                               
1          2.72300     0.28590     1.62041    60.3               
2         26.41520        可変                        
3          3.96120     0.05660     1.88300    40.8               
4          0.75190     0.23790                                   
5         11.35420     0.04450     1.91082    35.2               
6          1.28700     0.00810                                   
7          1.18120     0.16530     1.92286    20.9               
8         15.47990        可変                        
9*        -0.87710     0.05660     1.58913    61.3    
10*        -1.33500        可変                        
11          1.47410     0.17230     1.85135    40.1    
12*        -2.66720     0.09080                                   
13(絞り)           ∞     0.08090                        
14          4.08680     0.04050     1.92286    20.9               
15          1.21110     0.09910                                   
16          1.45980     0.20230     1.55332    71.7               
17*        -1.71290     0.04050                        
18         -5.70790     0.14290     1.59282    68.6               
19         -1.14200        可変                        
20          4.48840     0.03240     2.00069    25.5               
21          1.01610        可変                        
22*         2.62310     0.26190     1.49710    81.6    
23*        -1.48530     0.27730                                   
24         -0.68690     0.04850     1.58913    61.3    
25          3.97540     0.00040     1.56732    42.8               
26          3.97540     0.17520     1.94595    18.0               
27         -2.81420        (BF)                        
像面             ∞                                               
【０１４９】
表  ２０（非球面データ）
第9面
K= 6.98194E-01, A4=-2.90592E-01, A6= 1.75458E+00, A8=-1.02258E+01 
A10= 2.31729E+01 
第10面
K= 0.00000E+00, A4=-4.93975E-01, A6= 1.00262E+00, A8=-7.85266E+00 
A10= 1.65417E+01 
第12面
K= 0.00000E+00, A4= 3.04636E-01, A6=-4.44296E-02, A8= 1.93689E-01 
A10=-6.41510E-01 
第17面
K= 0.00000E+00, A4= 2.30885E-01, A6= 2.33780E-02, A8=-2.26522E-01 
A10= 7.78862E-01 
第22面
K= 0.00000E+00, A4= 2.06626E-01, A6=-4.12939E-01, A8= 2.51405E+00 
A10=-5.42148E+00 
第23面
K= 0.00000E+00, A4=-9.26628E-02, A6=-7.31286E-01, A8= 2.81868E+00 
A10=-6.81714E+00
【０１５０】
表  ２１（各種データ）
ズーム比     2.74163
広角      中間      望遠
焦点距離       1.0003    1.6560    2.7425
Ｆナンバー     2.89760   2.89330   2.90130
画角        43.9763   27.5523   17.4610
像高         0.8750    0.8750    0.8750
レンズ全長      4.2318    4.7631    5.7296
ＢＦ        0.45743   0.78916   1.26220
d2           0.0404    0.6232    1.2042
d8           0.4199    0.2558    0.1989
d10          0.4642    0.2257    0.0606
d19          0.1544    0.1325    0.0606
d21          0.1756    0.2168    0.4232
入射瞳位置      1.0765    1.9283    3.1277
射出瞳位置     -1.6704   -2.0379   -2.7112
前側主点位置    1.4778    2.2387    3.0967
後側主点位置    3.2315    3.1070    2.9871
【０１５１】
表  ２２（単レンズデータ）
レンズ     始面     焦点距離
1         1        4.8710
2         3       -1.0598
3         5       -1.5970
4         7        1.3780
5         9       -4.5490
6        11        1.1369
7        14       -1.8777
8        16        1.4575
9        18        2.3805
10        20       -1.3187
11        22        1.9490
12        24       -0.9904
13        26        1.7640
【０１５２】
表  ２３（ズームレンズ群データ）
群   始面    焦点距離  レンズ構成長    前側主点位置  後側主点位置
1      1     4.87098     0.28590        -0.02019       0.09009
2      3    -1.21602     0.51240         0.00829       0.12890
3      9    -4.54905     0.05660        -0.07150      -0.05223
4     11     0.86749     0.86930         0.39880       0.44527
5     20    -1.31868     0.03240         0.02103       0.03716
6     22     6.12622     0.76330        -0.45303      -0.20890
【０１５３】
表  ２４（ズームレンズ群倍率）
群   始面    広角       中間       望遠
1      1    0.00000    0.00000    0.00000
2      3   -0.35655   -0.43004   -0.54125
3      9    0.65638    0.66353    0.65604
4     11   -0.52023   -0.62121   -0.68552
5     20    2.20015    2.69194    3.64098
6     22    0.76664    0.71249    0.63527
【０１５４】
（数値実施例５）
数値実施例５のズームレンズ系は、図１３に示した実施の形態５に対応する。数値実施例５のズームレンズ系の面データを表２５に、非球面データを表２６に、各種データを表２７に、単レンズデータを表２８に、ズームレンズ群データを表２９に、ズームレンズ群倍率を表３０に示す。
【０１５５】
表  ２５（面データ）
面番号         r           d           nd         vd     
物面             ∞                                               
1          2.65590     0.32360     1.59349    67.0               
2         49.28710        可変                        
3          4.21050     0.05660     2.00069    25.5               
4          0.91750     0.36290                                   
5*        -2.48950     0.04450     1.61881    63.9    
6*         2.06090     0.00420                                   
7          1.51030     0.24170     1.92130    21.7               
8         -3.29090     0.06110                                   
9         -1.58460     0.02940     1.93651    23.8               
10         -2.02260        可変                        
11         -1.15710     0.03640     1.71300    53.9    
12         -7.19140        可変                                   
13          1.31490     0.20190     1.95375    32.3    
14         -3.61770     0.00040     1.56732    42.8               
15         -3.61770     0.02960     1.92286    20.9               
16         -4.54930     0.04050                                   
17(絞り)           ∞     0.06420                        
18*        -5.99880     0.02830     1.77250    49.5               
19*         3.83280     0.03760                        
20          0.87260     0.28860     1.61800    63.4               
21         -1.33370     0.00040     1.56732    42.8               
22         -1.33370     0.03010     1.93135    24.4               
23          1.13800     0.04540                                   
24*         1.15720     0.13090     1.85135    40.1               
25*       -43.47300        可変                                   
26         54.38040     0.03840     1.80518    25.5               
27          1.99250        可変                                   
28          0.93310     0.36410     1.59282    68.6    
29         -1.50740     0.02190                                   
30*        -9.27290     0.03250     1.76801    49.2               
31*         1.50170     0.07740                        
32          2.80960     0.06760     1.77967    22.0               
33          7.21120     0.20320                                   
34         -0.76980     0.06500     1.62039    63.0               
35         -7.69990        可変                                   
36        -11.21190     0.22230     1.94595    18.0    
37         -2.04100        (BF)                        
像面             ∞                                               
【０１５６】
表  ２６（非球面データ）
第5面
K= 0.00000E+00, A4= 2.26504E-02, A6= 8.41073E-02, A8=-2.62857E-01 
A10= 3.14420E-01 
第6面
K= 0.00000E+00, A4=-1.34834E-02, A6= 4.62093E-02, A8=-2.07442E-01 
A10= 1.13693E-01 
第18面
K= 0.00000E+00, A4= 2.17740E-02, A6=-7.35368E-03, A8= 1.30486E-02 
A10=-4.66399E-01 
第19面
K= 0.00000E+00, A4=-1.41729E-02, A6= 3.65003E-02, A8=-1.33289E-01 
A10=-4.71288E-01 
第24面
K= 0.00000E+00, A4=-3.59799E-01, A6=-7.36700E-02, A8=-9.45146E-01 
A10= 1.16630E+00 
第25面
K= 0.00000E+00, A4= 3.09139E-02, A6=-2.22593E-01, A8= 1.74404E-01 
A10=-8.22737E-01 
第30面
K= 0.00000E+00, A4=-2.28186E-01, A6=-4.92495E-02, A8= 2.87679E-02 
A10=-3.91269E+00 
第31面
K= 0.00000E+00, A4= 2.18253E-01, A6= 2.55933E-02, A8= 3.20852E+00 
A10=-1.03000E+01
【０１５７】
表  ２７（各種データ）
ズーム比     2.74653
広角      中間      望遠
焦点距離       1.0001    1.6574    2.7468
Ｆナンバー     2.92810   2.92492   2.92476
画角        40.4837   25.6587   15.7203
像高         0.8090    0.8090    0.8090
レンズ全長      4.8227    5.0231    5.9831
ＢＦ        0.38329   0.39756   1.05325
d2           0.0202    0.4172    1.0377
d10          0.4729    0.1064    0.2460
d12          0.4842    0.3085    0.0302
d25          0.0567    0.0739    0.0675
d27          0.2225    0.1904    0.0547
d35          0.0322    0.3784    0.3431
入射瞳位置      1.2533    1.7062    3.0613
射出瞳位置     -1.8886   -2.9631   -3.2058
前側主点位置    1.7244    2.4371    3.4554
後側主点位置    3.8226    3.3657    3.2364
【０１５８】
表  ２８（単レンズデータ）
レンズ     始面     焦点距離
1         1        4.7177
2         3       -1.1825
3         5       -1.8153
4         7        1.1514
5         9       -8.0756
6        11       -1.9389
7        13        1.0318
8        15      -19.4395
9        18       -3.0235
10        20        0.8984
11        22       -0.6555
12        24        1.3258
13        26       -2.5696
14        28        1.0293
15        30       -1.6806
16        32        5.8643
17        34       -1.3836
18        36        2.6071
【０１５９】
表  ２９（ズームレンズ群データ）
群   始面    焦点距離  レンズ構成長    前側主点位置  後側主点位置
1      1     4.71772     0.32360        -0.01154       0.10951
2      3    -1.89201     0.80040        -0.17820      -0.09515
3     11    -1.93892     0.03640        -0.00408       0.01101
4     13     0.98669     0.89790         0.06144       0.35418
5     26    -2.56956     0.03840         0.02209       0.03921
6     28     6.07940     0.83170        -2.64513      -1.46456
7     36     2.60710     0.22230         0.13803       0.24743
【０１６０】
表  ３０（ズームレンズ群倍率）
群   始面    広角       中間       望遠
1      1    0.00000    0.00000    0.00000
2      3   -0.68313   -0.79743   -1.07984
3     11    0.29886    0.30594    0.27654
4     13   -1.04544   -1.30798   -1.85093
5     26    2.18899    2.75699    6.59042
6     28    0.52599    0.46587    0.26391
7     36    0.86262    0.85715    0.60565
【０１６１】
（数値実施例６）
数値実施例６のズームレンズ系は、図１６に示した実施の形態６に対応する。数値実施例６のズームレンズ系の面データを表３１に、非球面データを表３２に、各種データを表３３に、単レンズデータを表３４に、ズームレンズ群データを表３５に、ズームレンズ群倍率を表３６に示す。
【０１６２】
表  ３１（面データ）
面番号         r           d           nd         vd     
物面             ∞                                               
1          1.91180     0.40450     1.59201    67.0               
2          8.17250        可変                        
3          3.54760     0.05660     2.00069    25.5               
4          0.79490     0.45820                                   
5*        -7.04100     0.04450     1.61881    63.9               
6*         1.87640     0.00440                        
7          1.66120     0.24270     1.94595    18.0               
8        -31.65540        可変                        
9*        -1.14430     0.05660     1.71300    53.9    
10*        -6.05170        可変                        
11(絞り)           ∞     0.02430                        
12          1.24410     0.20990     1.95375    32.3    
13         -6.16030     0.11380                                   
14*        -4.08370     0.03430     1.75039    45.5               
15*         8.06760     0.04550                        
16          0.92790     0.29270     1.61800    63.4               
17         -1.28390     0.00040     1.56732    42.8               
18         -1.28390     0.02830     1.93355    23.5               
19          1.14060     0.03160                                   
20*         1.22560     0.10470     1.82600    37.5               
21*        25.28490        可変                                   
22          2.36070     0.02830     1.82265    25.4               
23          1.17040        可変                        
24          1.00820     0.28310     1.59282    68.6    
25         -1.22090     0.00870                                   
26*       -13.11430     0.02830     1.75512    45.6               
27*         1.57970     0.24270                        
28         -0.78850     0.02830     1.57306    41.0               
29         -7.68010        可変                                   
30        -73.66230     0.14280     1.94595    18.0               
31         -1.74790        (BF)                                   
像面             ∞                                               
【０１６３】
表  ３２（非球面データ）
第5面
K= 0.00000E+00, A4=-1.85488E-02, A6=-1.30676E-01, A8= 1.30161E-01 
A10=-2.93996E-01 
第6面
K= 0.00000E+00, A4=-1.01245E-01, A6=-1.21077E-01, A8=-1.49203E-01 
A10= 1.40014E-02 
第9面
K= 0.00000E+00, A4= 1.82305E-02, A6= 6.38599E-02, A8= 5.20333E-02 
A10= 0.00000E+00 
第10面
K= 0.00000E+00, A4=-3.81448E-03, A6= 7.67664E-02, A8= 3.99512E-02 
A10= 0.00000E+00 
第14面
K= 0.00000E+00, A4= 1.96666E-02, A6=-1.44795E-02, A8=-1.94200E-02 
A10=-6.48723E-02 
第15面
K= 0.00000E+00, A4=-2.12646E-02, A6= 9.96076E-03, A8=-1.43539E-01 
A10=-5.70063E-02 
第20面
K= 0.00000E+00, A4=-3.95021E-01, A6=-1.01785E-01, A8=-5.72416E-01 
A10= 1.32066E+00 
第21面
K= 0.00000E+00, A4= 4.46218E-02, A6=-1.55066E-01, A8= 1.04878E-01 
A10= 7.71732E-01 
第26面
K= 0.00000E+00, A4=-2.05696E-01, A6=-3.15883E-01, A8= 4.73596E-01 
A10=-4.33978E+00 
第27面
K= 0.00000E+00, A4= 7.91496E-02, A6=-1.43569E-01, A8= 1.04256E+00 
A10=-3.83383E+00
【０１６４】
表  ３３（各種データ）
ズーム比     2.74642
広角      中間      望遠
焦点距離       0.9998    1.6569    2.7458
Ｆナンバー     2.90404   2.89750   2.91930
画角        41.5611   26.5675   16.1477
像高         0.8090    0.8090    0.8090
レンズ全長      5.3542    5.4558    6.4150
ＢＦ        1.04716   1.40662   1.82613
d2           0.0202    0.4485    1.0068
d8           0.9103    0.3485    0.3640
d10          0.3702    0.2328    0.0447
d21          0.0201    0.0115    0.0536
d23          0.0509    0.0913    0.0712
d29          0.0201    0.0014    0.1334
入射瞳位置      1.4102    2.0028    3.4546
射出瞳位置     -2.3827   -2.7504   -3.6281
前側主点位置    1.9903    2.6613    4.1219
後側主点位置    4.3544    3.7989    3.6692
【０１６５】
表  ３４（単レンズデータ）
レンズ     始面     焦点距離
1         1        4.1165
2         3       -1.0344
3         5       -2.3897
4         7        1.6745
5         9       -1.9887
6        12        1.1005
7        14       -3.6088
8        16        0.9180
9        18       -0.6434
10        20        1.5563
11        22       -2.8523
12        24        0.9777
13        26       -1.8655
14        28       -1.5357
15        30        1.8909
【０１６６】
表  ３５（ズームレンズ群データ）
群   始面    焦点距離  レンズ構成長    前側主点位置  後側主点位置
1      1     4.11653     0.40450        -0.07577       0.08061
2      3    -1.44696     0.80640        -0.10211      -0.00968
3      9    -1.98869     0.05660        -0.00774       0.01566
4     11     1.04703     0.88550         0.00443       0.32079
5     22    -2.85226     0.02830         0.03113       0.04373
6     24    13.26853     0.59110        -4.12346      -2.91515
7     30     1.89087     0.14280         0.07509       0.14458
【０１６７】
表  ３６（ズームレンズ群倍率）
群   始面    広角       中間       望遠
1      1    0.00000    0.00000    0.00000
2      3   -0.59605   -0.72374   -1.00414
3      9    0.33053    0.35262    0.32812
4     11   -1.49595   -2.01908   -2.76112
5     22    3.33652    9.55462   -6.53716
6     24    0.55237    0.31807   -3.18822
7     30    0.44715    0.25704    0.03518
【０１６８】
以下の表３７に、各数値実施例のズームレンズ系における各条件の対応値を示す。
【０１６９】
表  ３７（条件の対応値）
【表１】
2014129187.tif 000025
【０１７０】
以上のように、本開示における技術の例示として、実施の形態を説明した。そのために、添付図面および詳細な説明を提供した。
【０１７１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１７３】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１７４】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１７５】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
４つ又は５つのレンズ群と開口絞りとで構成された後続レンズ群と
からなり、
撮像時の広角端から望遠端へのズーミングにおいて、隣接するレンズ群同士の間隔が変化し、
前記第１レンズ群は、２枚以下のレンズ素子で構成され、前記ズーミングの際に光軸に沿って移動し、
前記第１レンズ群と前記開口絞りとの間に、３枚以上の負のパワーを有するレンズ素子が配置されており、
以下の条件（１）及び（２）を満足する、ズームレンズ系：
０．３０＜｜ＢＦＷ／ＹＷ｜＜１．３９  ・・・（１）
１．１０＜ＳＤＴ／ＳＤＷ＜２．００  ・・・（２）
ここで、
ＢＦＷ：広角端におけるバックフォーカス、
ＹＷ：次式で表される、広角端における対角像高
ＹＷ＝ｆＷ×ｔａｎ（ωＷ）、
ｆＷ：広角端における全系の焦点距離、
ωＷ：広角端における半画角、
ＳＤＷ：広角端における最大開口絞り径、
ＳＤＴ：望遠端における最大開口絞り径
である。
【請求項２】
第１レンズ群は、１枚のレンズ素子で構成される、請求項１に記載のズームレンズ系。
【請求項３】
後続レンズ群のうちいずれかのレンズ群又はいずれかのレンズ群の一部は、光軸に対して垂直方向に移動して像のぶれを光学的に補正する像ぶれ補正レンズ群である、請求項１に記載のズームレンズ系。
【請求項４】
像ぶれ補正レンズ群は、開口絞りよりも像側に配置されている、請求項３に記載のズームレンズ系。
【請求項５】
像ぶれ補正レンズ群は、１枚のレンズ素子で構成される、請求項３に記載のズームレンズ系。
【請求項６】
後続レンズ群のうち最物体側に配置されたレンズ群は、無限遠合焦状態から近接物体合焦状態へのフォーカシングの際に光軸に沿って移動するフォーカシングレンズ群である、請求項１に記載のズームレンズ系。
【請求項７】
後続レンズ群のうち２つ以上のレンズ群は、無限遠合焦状態から近接物体合焦状態へのフォーカシングの際に光軸に沿って移動するフォーカシングレンズ群である、請求項１に記載のズームレンズ系。
【請求項８】
後続レンズ群のうち開口絞りよりも像側に配置されたレンズ群は、無限遠合焦状態から近接物体合焦状態へのフォーカシングの際に光軸に沿って移動する少なくとも１つのフォーカシングレンズ群である、請求項１に記載のズームレンズ系。
【請求項９】
後続レンズ群のうち物体側から２番目に配置されたレンズ群は、開口絞りを有する、請求項１に記載のズームレンズ系。
【請求項１０】
撮像時の広角端から望遠端へのズーミングの際に光軸に沿って移動する全てのレンズ群は、広角端での位置よりも望遠端での位置が像面に対して物体側となるように移動する、請求項１に記載のズームレンズ系。
【請求項１１】
後続レンズ群のうち最像側に配置されたレンズ素子は、正のパワーを有する、請求項１に記載のズームレンズ系。
【請求項１２】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１３】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【手続補正３】
【補正対象書類名】図面
【補正対象項目名】全図
【補正方法】変更
【補正の内容】
【図１】
2014129187.tif 000026
【図２】
2014129187.tif 000027
【図３】
2014129187.tif 000028
【図４】
2014129187.tif 000029
【図５】
2014129187.tif 000030
【図６】
2014129187.tif 000031
【図７】
2014129187.tif 000032
【図８】
2014129187.tif 000033
【図９】
2014129187.tif 000034
【図１０】
2014129187.tif 000035
【図１１】
2014129187.tif 000036
【図１２】
2014129187.tif 000037
【図１３】
2014129187.tif 000038
【図１４】
2014129187.tif 000039
【図１５】
2014129187.tif 000040
【図１６】
2014129187.tif 000041
【図１７】
2014129187.tif 000042
【図１８】
2014129187.tif 000043
【図１９】
2014129187.tif 000044
【国際調査報告】
2014129187.tif 000045
2014129187.tif 000046
2014129187.tif 000047
2014129187.tif 000048